(57)【要約】    【課題】      本発明は、非接触型ＩＣカード及びＲＦＩＤと、携帯通信端末と、ローカルサーバとの間で直接通信することを可能にし、これらの通信において送受信されるデータのセキュリティを保ちながら、ユーザが所有する携帯通信端末にデータサービスを提供することを可能にすること。    【解決手段】  ローカルサーバ１０３内の非接触ＩＣ通信部（ＲＷ側）１０３ａは、携帯電話器１０１内の非接触ＩＣ通信部（カード側）１０１ａから送信された認証データを受信して制御部１０３ｂに出力する。制御部１０３ｂは、認証データの認証処理を行い、処理結果を表示するために生成した表示情報を非接触ＩＣ通信部（ＲＷ側）１０３ａから携帯電話器１０１内の非接触ＩＣ通信部（カード側）１０１ａに送信する。携帯電話器１０１内の非接触ＩＣ通信部（カード側）１０１ａは、受信した表示情報を制御部１０１ｂに出力して表示部１０１ｃに表示させる。  【選択図】      図１
2005064923.tif 000002
【特許請求の範囲】
【請求項１】
第一の機器との通信処理結果を第三の機器へ通知する通知装置であって、
前記第一の機器の第１通信手段、及び前記第三の機器の第３通信手段と通信を行う第２通信手段と、
当該装置の制御を行う制御手段と、を備え、
前記制御手段は、前記第２通信手段及び前記第１通信手段を介して前記第一の機器との通信処理を行い、該通信処理の結果を表示させるための表示情報を生成して前記第２通信手段へ送出し、
前記第２通信手段は、前記表示情報を前記第３通信手段へ送信することを特徴とする通知装置。
【請求項２】
前記制御手段は、前記表示情報に替えて、又は表示情報に加えて、前記第一の機器との通信処理とは関連性のない付加情報、及び／又は、前記第一の機器との通信処理と関連性を有する関連情報、を生成することを特徴とする請求項１記載の通知装置。
【請求項３】
前記第２通信手段は、前記制御手段より送出された表示情報を前記第１通信手段へ送信し、前記表示情報へアクセスするためのアクセス情報を前記第１通信手段へ送信することを特徴とする請求項１記載の通知装置。
【請求項４】
第一の機器との通信処理結果を第三の機器へ通知する通知装置であって、
前記第一の機器の第１通信手段と通信を行う第一通信手段と、
前記第三の機器の第３通信手段と通信を行う第二通信手段と、
当該装置の制御を行う制御手段と、を備え、
前記制御手段は、前記第一通信手段及び前記第１通信手段を介して前記第一の機器との通信処理を行い、前記通信処理の結果を表示させるための表示情報を生成して前記第二通信手段へ送出し、
前記第二通信手段は、前記表示情報を前記第３通信手段へ送信することを特徴とする通知装置。
【請求項５】
第一の機器との通信処理結果を第三の機器へ通知する通知装置であって、
前記第一の機器の第１通信手段と通信を行う第一通信手段と、
前記第三の機器の第３通信手段と通信を行う第二通信手段と、
当該装置の制御を行う制御手段と、を備え、
前記制御手段は、前記第一通信手段及び前記第１通信手段を介して前記第一の機器との通信処理を行い、前記通信処理の結果を表示させるための表示情報を生成して前記第一通信手段へ送出し、
前記第一通信手段は、前記表示情報を前記第１通信手段へ送信し、
前記第二通信手段は、前記表示情報へアクセスするためのアクセス情報を前記第３通信手段へ送信することを特徴とする通知装置。
【請求項６】
第三の機器へ通知する通知装置であって、
第一の機器の第１通信手段、及び前記第三の機器の第３通信手段と通信を行う第２通信手段と、
当該装置の制御を行う制御手段と、を備え、
前記制御手段は、前記第２通信手段及び前記第１通信手段を介して前記第一の機器より取得する任意の情報に基づいて処理を行い、前記処理の結果を表示させるための表示情報を生成して前記第２通信手段へ送出し、
前記第２通信手段は、前記表示情報を前記第３通信手段へ送信することを特徴とする通知装置。
【請求項７】
ローカルサーバから提供されるサービスをＲＦＩＤタグを用いて携帯端末に提供するサービスシステムであって、
前記ＲＦＩＤタグは、
サービス処理の実行に必要な情報の通信を前記ローカルサーバの第２の通信手段と非接触で行う第１通信手段を備え、
前記ローカルサーバは、
前記サービス処理の実行に必要な情報の通信を前記ＲＦＩＤタグの第１通信手段と非接触で行うとともに、サービス処理結果に関わる通信を前記携帯端末の第３通信手段と非接触で行う第２通信手段を備え、
前記携帯端末は、
前記サービス処理結果に関わる通信を前記ローカルサーバの第２通信手段と非接触で行う第３通信手段を備えることを特徴とするサービスシステム。
【請求項８】
第三の機器へ通知する通知装置であって、
第一の機器の第１通信手段と通信を行う第一通信手段と、
第三の機器の第３通信手段と通信を行う第二通信手段と、
当該装置の制御を行う制御手段と、を備え、
前記制御手段は、前記第一通信手段及び前記第１通信手段を介して前記第一の機器より取得する任意の情報に基づいて処理を行い、前記処理の結果を表示させるための表示情報を生成して前記第二通信手段へ送出し、
前記第二通信手段は、前記表示情報を前記第３通信手段へ送信することを特徴とする通知装置。
【請求項９】
ローカルサーバから提供されるサービスをＲＦＩＤタグを用いて携帯端末に提供するサービスシステムであって、
前記ＲＦＩＤタグは、
サービス処理の実行に必要な情報の通信を前記ローカルサーバの第２通信手段と非接触で行う第１通信手段を備え、
前記ローカルサーバは、
前記サービス処理の実行に必要な情報の通信を前記ＲＦＩＤタグの第１通信手段と非接触で行う第２通信手段と、
サービス処理結果に関わる通信を前記携帯端末の第４通信手段と非接触で行う第３通信手段と、
前記第２通信手段と、前記第３通信手段とを、前記サービス処理に関わる通信時と、前記サービス処理結果に関わる通信時とで切り換える制御手段と、を備え、
前記携帯端末は、
前記サービス処理結果に関わる通信を前記ローカルサーバの第３通信手段と非接触で行う第４通信手段を備えることを特徴とするサービスシステム。
【請求項１０】
ローカルサーバから提供されるサービスをＩＣカードを用いて携帯端末に提供するサービスシステムであって、
前記ＩＣカードは、
サービス処理の実行に必要な情報の通信を前記ローカルサーバの第３通信手段と非接触で行う第１通信手段と、
サービス処理結果の復号化処理に関わる通信を前記第１通信手段の通信方式と異なる通信方式で前記携帯端末の第５通信手段と接触して行う第２通信手段と、を備え、
前記ローカルサーバは、
前記サービス処理の実行に必要な情報の通信を前記ＩＣカードの第１通信手段と非接触で行うとともに、サービス処理結果の暗号化処理に関わる通信を前記携帯端末の第５通信手段と非接触で行う第３通信手段を備え、
前記携帯端末は、
前記サービス処理結果の暗号化処理に関わる通信を前記ローカルサーバの第３通信手段と非接触で行う第４通信手段と、
前記第４通信手段が前記ローカルサーバから受信した暗号化データを復号化する処理に関わる通信を前記ＩＣカードの第２通信手段と接触して行う第５通信手段と、
を備えることを特徴とするサービスシステム。
【請求項１１】
ローカルサーバから提供されるサービスをＩＣカードを用いて携帯端末に提供するサービスシステムであって、
前記ＩＣカードは、
サービス処理の実行に必要な情報の通信を前記ローカルサーバの第３通信手段と非接触で行う第１通信手段と、
サービス処理結果の復号化処理に関わる通信を前記第１通信手段の通信方式と異なる通信方式で前記携帯端末の第６通信手段と接触して行う第２通信手段と、を備え、
前記ローカルサーバは、
前記サービス処理の実行に必要な情報の通信を前記ＩＣカードの第１通信手段と非接触で行う第３通信手段と、
サービス処理結果の暗号化処理に関わる通信を前記第３通信手段の通信方式と異なる無線通信方式で前記携帯端末の第５通信手段と非接触で行う第４通信手段を備え、
前記携帯端末は、
前記サービス処理結果の暗号化処理に関わる通信を前記ローカルサーバの第４通信手段と非接触で行う第５通信手段と、
前記第５通信手段が前記ローカルサーバから受信した暗号化データを復号化する処理に関わる通信を前記ＩＣカードの第２通信手段と接触して行う第６通信手段と、
を備えることを特徴とするサービスシステム。
【請求項１２】
前記第１通信手段と前記第２通信手段は、前記ＩＣカードに替えて、物理的に異なるデバイス上にそれぞれ搭載されている、請求項１０又は１１に記載のサービスシステム。
【発明の詳細な説明】
【技術分野】
【０００１】
本発明は、ＩＣカードを用いたサービスシステムに関し、特に、非接触型ＩＣカード技術及びＲＦＩＤ技術を、ＩＣカード、携帯通信端末、及びローカルサーバに適用することにより、新たなサービスを提供するＩＣカードを用いたサービスシステムに関する。
【背景技術】
【０００２】
従来、クレジットカードやプリペイドカードなどの磁気カードは、偽造などの不正利用による被害が多く発生しているため、この磁気カードの欠点をカバーするＩＣカードに置き換わりつつある。
【０００３】
ＩＣカードは、セキュリティ性が高く、演算処理機能を備えているため、カード内部で比較や判断などの処理を実行でき、磁気カードよりも高度な利用方法が考えられるため、交通機関、商取引、セキュリティなどの様々なビジネス分野で新たなサービスが展開されている。
【０００４】
ＩＣカードは、カード表面にＩＣチップの金属端子が露出している「接触型」と、電磁波で通信する「非接触型」に大別できる。さらに、非接触型ＩＣカードは、ＩＣカードとリーダライタとの通信距離により、「密着型」、「近接型」、「近傍型」、「マイクロ波型」に分類される。
【０００５】
また、非接触型ＩＣカードよりも処理能力は劣るが同様の機能及び種類を有するものとしてＲＦＩＤ（Radio Frequency IDentification）がある。このＲＦＩＤはＩＣカードとは異なり物理的形状が限定されない。このため、ＲＦＩＤは、生産管理、在庫管理、物流管理、販売管理などにおいて、バーコードなどに相当する管理情報の書き込みと読み出し機能を実現し、主に物品の管理業務を効率化するために用いられようとしている。
【０００６】
非接触型ＩＣカード及びＲＦＩＤに含まれるエアインタフェース及びプロトコル技術は、共に非特許文献１などにより規格化されている。
【０００７】
これら非接触型ＩＣカード及びＲＦＩＤは、交通機関、商取引、セキュリティなどのビジネスサービスや、生産管理、在庫管理、物流管理、販売管理などに用いる場合、ＰＯＳ（Point Of Sales）端末、改札機、受付端末、ＡＴＭ（Automated Teller Machine）などの各ローカルサーバとの間で、上記規格に基づくエアインタフェース及びプロトコル技術を用いて、各種サービスや各種管理に必要な情報交換と演算処理を行っている。
【０００８】
また、特に、非接触型ＩＣカードは、個人ユーザが所有することが多いものであるため、例えば、殆どの個人ユーザが所有する携帯電話器などの携帯通信端末との連携によるサービス展開も可能である。
【非特許文献１】ＩＳＯ／ＩＥＣ１８０００−１〜１８０００−７
【発明の開示】
【発明が解決しようとする課題】
【０００９】
しかしながら、従来の非接触型ＩＣカード及びＲＦＩＤに適用されるエアインタフェース及びプロトコル技術にあっては、各種ローカルサーバとの間で各種サービスや各種管理に必要な情報交換と演算処理を行っているだけであり、非接触型ＩＣカード及びＲＦＩＤを所有又は利用するユーザが、例えば、携帯電話器などの携帯通信端末を用いて、非接触型ＩＣカード及びＲＦＩＤとの間で直接通信することはできなかった。
【００１０】
例えば、プリペイドサービス機能を備えた非接触型ＩＣカードと携帯電話器を所有するユーザが、非接触型ＩＣカードの残高を確認しようとした場合、ローカルサーバを設置した店舗などまで行く必要があり、その場で携帯電話器を用いて確認することはできない。
【００１１】
また、例えば、非接触型ＩＣカードとローカルサーバとの間で実行された処理結果は、その場で携帯電話器を用いて確認することはできない。
【００１２】
すなわち、携帯電話器などの携帯通信端末は、非接触型ＩＣカード、ＲＦＩＤ及びローカルサーバと直接通信する機能を備えていないため、非接触型ＩＣカード又はＲＦＩＤに記憶された各種情報を確認したい、又は、非接触型ＩＣカード又はＲＦＩＤとローカルサーバとの間で実行された処理結果を確認したい、というようなユーザの要求に応えることができなかった。
【００１３】
この場合、携帯通信端末と非接触型ＩＣカードの双方で同一サービスのデータを管理する必要があり、個人データなどデリケートなデータを扱うため、認証などのセキュリティを保つ機能が必要になる。
【００１４】
また、ＲＦＩＤに書き込まれたデータは、同様に、携帯通信端末を用いて確認することはできないが、ＲＦＩＤの用途が従来のバーコードを代替することを意図しているため、データを読み書きする際に暗号化などのデータセキュリティ処理が想定されておらず、通信中のデータを他人に読み取られる恐れがある。
【００１５】
このため、悪意のある者が、ＲＦＩＤから読み取ったデータを用いることにより、正規ユーザに成りすまして、サービスを受け、処理結果を取るといった不測の事態が発生する可能性がある。
【００１６】
本発明はかかる点に鑑みてなされたものであり、非接触型ＩＣカード及びＲＦＩＤと、携帯通信端末と、ローカルサーバとの間で直接通信することを可能にし、これらの通信において送受信されるデータのセキュリティを保ちながら、ユーザが所有する携帯通信端末にデータサービスを提供するＩＣカードを用いたサービスシステムを提供することを目的とする。
【課題を解決するための手段】
【００１７】
第１の発明は、第一の機器との通信処理結果を第三の機器へ通知する通知装置であって、前記第一の機器の第１通信手段、及び前記第三の機器の第３通信手段と通信を行う第２通信手段と、当該装置の制御を行う制御手段と、を備え、前記制御手段は、前記第２通信手段及び前記第１通信手段を介して前記第一の機器との通信処理を行い、該通信処理の結果を表示させるための表示情報を生成して前記第２通信手段へ送出し、前記第２通信手段は、前記表示情報を前記第３通信手段へ送信する通知装置である。
【００１８】
この発明によれば、第一の機器との間の通信処理結果を第三の機器で確認することができる。
【００１９】
第２の発明は、第１の発明において、前記制御手段は、前記表示情報に替えて、又は表示情報に加えて、前記第一の機器との通信処理とは関連性のない付加情報、及び／又は、前記第一の機器との通信処理と関連性を有する関連情報、を生成する通知装置である。
【００２０】
この発明によれば、第一の機器との間の通信処理結果に加えて、通信処理と関連性のない付加情報、及び／又は、通信処理と関連性を有する関連情報を第三の機器で確認することができる。
【００２１】
第３の発明は、第１の発明において、前記第２通信手段は、前記制御手段より送出された表示情報を前記第１通信手段へ送信し、前記表示情報へアクセスするためのアクセス情報を前記第１通信手段へ送信する通知装置である。
【００２２】
この発明によれば、第三の機器へは、表示情報へアクセスするためのアクセス情報を送信するだけなので、表示情報が機器の外に漏れることを防止することができるとともに、表示情報を第一の機器で一元管理することができる。
【００２３】
第４の発明は、第一の機器との通信処理結果を第三の機器へ通知する通知装置であって、前記第一の機器の第１通信手段と通信を行う第一通信手段と、前記第三の機器の第３通信手段と通信を行う第二通信手段と、当該装置の制御を行う制御手段と、を備え、前記制御手段は、前記第一通信手段及び前記第１通信手段を介して前記第一の機器との通信処理を行い、前記通信処理の結果を表示させるための表示情報を生成して前記第二通信手段へ送出し、前記第二通信手段は、前記表示情報を前記第３通信手段へ送信する通知装置である。
【００２４】
この発明によれば、第一の機器との間の通信処理結果を第三の機器で確認することができるとともに、第一の機器との通信処理と第三の機器との通信処理とを排他制御することができ、通信エラーを防止することができる。
【００２５】
第５の発明は、第一の機器との通信処理結果を第三の機器へ通知する通知装置であって、前記第一の機器の第１通信手段と通信を行う第一通信手段と、前記第三の機器の第３通信手段と通信を行う第二通信手段と、当該装置の制御を行う制御手段と、を備え、前記制御手段は、前記第一通信手段及び前記第１通信手段を介して前記第一の機器との通信処理を行い、前記通信処理の結果を表示させるための表示情報を生成して前記第一通信手段へ送出し、前記第一通信手段は、前記表示情報を前記第１通信手段へ送信し、前記第二通信手段は、前記表示情報へアクセスするためのアクセス情報を前記第３通信手段へ送信する通知装置である。
【００２６】
この発明によれば、第一の機器との間の通信処理結果を第三の機器で確認することができ、第一の機器との通信処理と第三の機器との通信処理とを排他制御することができ、通信エラーを防止することができるとともに、表示情報が機器の外に漏れることを防止することができ、表示情報を第一の機器で一元管理することができる。
【００２７】
第６の発明は、第三の機器へ通知する通知装置であって、第一の機器の第１通信手段、及び前記第三の機器の第３通信手段と通信を行う第２通信手段と、当該装置の制御を行う制御手段と、を備え、前記制御手段は、前記第２通信手段及び前記第１通信手段を介して前記第一の機器より取得する任意の情報に基づいて処理を行い、前記処理の結果を表示させるための表示情報を生成して前記第２通信手段へ送出し、前記第２通信手段は、前記表示情報を前記第３通信手段へ送信する通知装置である。
【００２８】
この発明によれば、第一の機器から取得した任意の情報に基づく処理の結果を第三の機器で確認することができる。
【００２９】
第７の発明は、ローカルサーバから提供されるサービスをＲＦＩＤタグを用いて携帯端末に提供するサービスシステムであって、前記ＲＦＩＤタグは、サービス処理の実行に必要な情報の通信を前記ローカルサーバの第２の通信手段と非接触で行う第１通信手段を備え、前記ローカルサーバは、前記サービス処理の実行に必要な情報の通信を前記ＲＦＩＤタグの第１通信手段と非接触で行うとともに、サービス処理結果に関わる通信を前記携帯端末の第３通信手段と非接触で行う第２通信手段を備え、前記携帯端末は、前記サービス処理結果に関わる通信を前記ローカルサーバの第２通信手段と非接触で行う第３通信手段を備えるサービスシステムである。
【００３０】
この発明によれば、ＲＦＩＤタグとローカルサーバとの間でサービス処理された処理結果を携帯端末で確認することができる。
【００３１】
第８の発明は、第三の機器へ通知する通知装置であって、第一の機器の第１通信手段と通信を行う第一通信手段と、第三の機器の第３通信手段と通信を行う第二通信手段と、当該装置の制御を行う制御手段と、を備え、前記制御手段は、前記第一通信手段及び前記第１通信手段を介して前記第一の機器より取得する任意の情報に基づいて処理を行い、前記処理の結果を表示させるための表示情報を生成して前記第二通信手段へ送出し、前記第二通信手段は、前記表示情報を前記第３通信手段へ送信する通知装置である。
【００３２】
この発明によれば、第一の機器から取得した任意の情報に基づく処理の結果を第三の機器で確認することができる。
【００３３】
第９の発明は、ローカルサーバから提供されるサービスをＲＦＩＤタグを用いて携帯端末に提供するサービスシステムであって、前記ＲＦＩＤタグは、サービス処理の実行に必要な情報の通信を前記ローカルサーバの第２通信手段と非接触で行う第１通信手段を備え、前記ローカルサーバは、前記サービス処理の実行に必要な情報の通信を前記ＲＦＩＤタグの第１通信手段と非接触で行う第２通信手段と、サービス処理結果に関わる通信を前記携帯端末の第４通信手段と非接触で行う第３通信手段と、前記第２通信手段と、前記第３通信手段とを、前記サービス処理に関わる通信時と、前記サービス処理結果に関わる通信時とで切り換える制御手段と、を備え、前記携帯端末は、前記サービス処理結果に関わる通信を前記ローカルサーバの第３通信手段と非接触で行う第４通信手段を備えるサービスシステムである。
【００３４】
この発明によれば、ＲＦＩＤタグとローカルサーバとの間でサービス処理された処理結果をセキュアな状態で携帯端末に送信して確認することができ、処理結果の盗み読みを防止することができる。
【００３５】
第１０の発明は、ローカルサーバから提供されるサービスをＩＣカードを用いて携帯端末に提供するサービスシステムであって、前記ＩＣカードは、サービス処理の実行に必要な情報の通信を前記ローカルサーバの第３通信手段と非接触で行う第１通信手段と、サービス処理結果の復号化処理に関わる通信を前記第１通信手段の通信方式と異なる通信方式で前記携帯端末の第５通信手段と接触して行う第２通信手段と、を備え、前記ローカルサーバは、前記サービス処理の実行に必要な情報の通信を前記ＩＣカードの第１通信手段と非接触で行うとともに、サービス処理結果の暗号化処理に関わる通信を前記携帯端末の第５通信手段と非接触で行う第３通信手段を備え、前記携帯端末は、前記サービス処理結果の暗号化処理に関わる通信を前記ローカルサーバの第３通信手段と非接触で行う第４通信手段と、前記第４通信手段が前記ローカルサーバから受信した暗号化データを復号化する処理に関わる通信を前記ＩＣカードの第２通信手段と接触して行う第５通信手段と、を備えるサービスシステムである。
【００３６】
この発明によれば、ＩＣカードとローカルサーバとの間でサービス処理された処理結果をセキュアな状態で携帯端末に送信して確認することができ、処理結果の盗み読みを防止することができる。
【００３７】
第１１の発明は、ローカルサーバから提供されるサービスをＩＣカードを用いて携帯端末に提供するサービスシステムであって、前記ＩＣカードは、サービス処理の実行に必要な情報の通信を前記ローカルサーバの第３通信手段と非接触で行う第１通信手段と、サービス処理結果の復号化処理に関わる通信を前記第１通信手段の通信方式と異なる通信方式で前記携帯端末の第６通信手段と接触して行う第２通信手段と、を備え、前記ローカルサーバは、前記サービス処理の実行に必要な情報の通信を前記ＩＣカードの第１通信手段と非接触で行う第３通信手段と、サービス処理結果の暗号化処理に関わる通信を前記第３通信手段の通信方式と異なる無線通信方式で前記携帯端末の第５通信手段と非接触で行う第４通信手段を備え、前記携帯端末は、前記サービス処理結果の暗号化処理に関わる通信を前記ローカルサーバの第４通信手段と非接触で行う第５通信手段と、前記第５通信手段が前記ローカルサーバから受信した暗号化データを復号化する処理に関わる通信を前記ＩＣカードの第２通信手段と接触して行う第６通信手段と、を備えるサービスシステムである。
【００３８】
この発明によれば、ＩＣカードとローカルサーバとの間でサービス処理された処理結果をセキュアな状態で携帯端末に送信して確認することができ、処理結果の盗み読みを防止することができる。
【００３９】
第１２の発明は、第１０又は第１１の発明において、前記第１通信手段と前記第２通信手段は、前記ＩＣカードに替えて、物理的に異なるデバイス上にそれぞれ搭載されている、サービスシステムである。
【００４０】
この発明によれば、サービスシステムの構成を多様化することができ、サービスシステムの利用範囲を拡大することができる。
【発明の効果】
【００４１】
本発明によれば、第一の機器との間の通信処理結果を第三の機器で確認することができる。
【発明を実施するための最良の形態】
【００４２】
本発明の骨子は、非接触型ＩＣカード及びＲＦＩＤと、携帯通信端末と、ローカルサーバとの間で直接通信することを可能にし、これらの通信において送受信されるデータのセキュリティを保ちながら、データの一元管理を可能にすることである。
【００４３】
以下、本発明の実施の形態について図面を参照して詳細に説明する。
【００４４】
（実施の形態１）
図１は、本発明の実施の形態１に係るサービスシステムの構成を示すブロック図である。図１に示すサービスシステム１００は、携帯電話器１０１と、非接触ＩＣカード１０２と、ローカルサーバ１０３と、を備えている。
【００４５】
非接触ＩＣカード１０２は、携帯電話器１０１に対して、カードスロットなどにより着脱可能に装着されていてもよいし、又はチップ埋め込みなど固定的に接続されて利用されてもよいし、あるいは、接続されることなく全く独立したデバイスとして利用されてもよい。
【００４６】
携帯電話器１０１は、非接触ＩＣ通信部（カード側）１０１ａと、制御部１０１ｂと、表示部１０１ｃと、を備えている。
【００４７】
非接触ＩＣ通信部（カード側）１０１ａは、例えば、ＩＳＯ（International Organization for Standardization）／ＩＥＣ（International Electrotechnical Commission）１８０００規格のカード仕様に基づくエアインタフェース及びプロトコル技術を用いた無線通信機能を有する。
【００４８】
非接触ＩＣ通信部（カード側）１０１ａは、ローカルサーバ１０３内の非接触ＩＣ通信部（ＲＷ側）１０３ａとの間で通信接続してコマンドを受け付け、非接触ＩＣ通信部（ＲＷ側）１０３ａから非接触ＩＣカード１０２とローカルサーバ１０３との間で実行された処理結果を受信し、その受信した処理結果を制御部１０１ｂに出力する。
【００４９】
制御部１０１ｂは、非接触ＩＣ通信部（カード側）１０１ａから入力された処理結果を表示部１０１ｃに出力する。表示部１０１ｃは、液晶表示パネルなどの表示デバイスにより構成され、制御部１０１ｂから入力される処理結果を表示する。
【００５０】
非接触ＩＣカード１０２は、非接触ＩＣ通信部（カード側）１０２ａと、制御部１０２ｂと、を備えている。
【００５１】
非接触ＩＣ通信部（カード側）１０２ａは、例えば、ＩＳＯ／ＩＥＣ１８０００規格に基づくエアインタフェース及びプロトコル技術を用いた無線通信機能を有する。
【００５２】
非接触ＩＣ通信部（カード側）１０２ａは、ローカルサーバ１０３内の非接触ＩＣ通信部（ＲＷ側）１０３ａからコマンドを受信して通信接続し、受信したコマンドを制御部１０２ｂに出力し、制御部１０２ｂから入力されるレスポンスを非接触ＩＣ通信部（ＲＷ側）１０３ａに送信する。
【００５３】
制御部１０２ｂは、非接触ＩＣ通信部（カード側）１０２ａから入力されるコマンドを、予め記憶されたアプリケーションプログラムで処理し、その処理結果をレスポンスとして非接触ＩＣ通信部（カード側）１０２ａに出力する。
【００５４】
ローカルサーバ１０３は、ＰＯＳ端末、改札機、受付端末、ＡＴＭ等を想定するものであり、非接触ＩＣ通信部（ＲＷ側）１０３ａと、制御部１０３ｂと、を備えている。
【００５５】
非接触ＩＣ通信部（ＲＷ側）１０３ａは、例えば、ＩＳＯ／ＩＥＣ１８０００規格のリーダライタ仕様に基づくエアインタフェース及びプロトコル技術を用いた無線通信機能を有する。
【００５６】
非接触ＩＣ通信部（ＲＷ側）１０３ａは、非接触ＩＣカード１０２内の非接触ＩＣ通信部（カード側）１０２ａにコマンドを送り通信接続し、制御部１０３ｂから入力されるコマンドを非接触ＩＣ通信部（カード側）１０２ａに送信し、非接触ＩＣ通信部（カード側）１０２ａから送信されるレスポンスを受信して制御部１０３ｂに出力する。
【００５７】
制御部１０３ｂは、非接触ＩＣ通信部（ＲＷ側）１０３ａから入力されるレスポンスを、予め記憶されたアプリケーションプログラムで処理し、その処理結果を必要であればコマンドとして非接触ＩＣ通信部（ＲＷ側）１０３ａに出力する。
【００５８】
また、非接触ＩＣ通信部（カード側）１０１ａ及び非接触ＩＣ通信部（カード側）１０２ａは、共に非接触ＩＣ通信部（ＲＷ側）１０３ａから送信されるコマンドにより動作を開始する受動側であるため、（カード側）という表記をしている。
【００５９】
非接触ＩＣ通信部（ＲＷ側）１０３ａは、非接触ＩＣ通信部（カード側）１０１ａ及び非接触ＩＣ通信部（カード側）１０２ａにコマンドを発行する能動側であるため、（ＲＷ側）という表記をしている。
【００６０】
なお、本実施の形態１以降に後述する実施の形態２〜１０においても同様に記載する。
【００６１】
非接触ＩＣカード１０２内の非接触ＩＣ通信部（カード側）１０２ａと、携帯電話器１０１内の非接触ＩＣ通信部（カード側）１０１ａは、ローカルサーバ１０３内の非接触ＩＣ通信部（ＲＷ側）１０３ａから送信されるコマンドにより、起動電力が供給されるため、それぞれ非接触ＩＣ通信部（カード側）１０２ａ用及び非接触ＩＣ通信部（カード側）１０１ａ用の電源は、搭載する必要がない。
【００６２】
以下、本実施の形態のサービスシステム１００におけるサービス処理の具体的な動作について、図１に示す（１）〜（３）の順に説明するとともに、この時のローカルサーバ１０３の動作について、図２に示すフローチャートを参照して説明する。
【００６３】
まず、（１）では、非接触ＩＣカード１０２を所有するユーザが、非接触ＩＣカード１０２をローカルサーバ１０３の近傍に近づけると、ローカルサーバ１０３内の非接触ＩＣ通信部（ＲＷ側）１０３ａは、非接触ＩＣカード１０２内の非接触ＩＣ通信部（カード側）１０２ａとの間で通信接続を確立する。
【００６４】
以下、ローカルサーバ１０３の動作を図２に示すフローチャートにより説明する。
【００６５】
図２において、非接触ＩＣ通信部（ＲＷ側）１０３ａは、非接触ＩＣカード１０２の接近の有無を検知し（ステップＳ２０１）、非接触ＩＣカード１０２の接近を検知すると（ステップＳ２０１：ＹＥＳ）、非接触ＩＣカード１０２内の非接触ＩＣ通信部（カード側）１０２ａとの間で通信接続処理を行う（ステップＳ２０２）。
【００６６】
通信接続が確立すると、非接触ＩＣカード１０２内の非接触ＩＣ通信部（カード側）１０２ａは、予め記憶されたユーザデータ（例えば、電子署名付き会員証データなど）を読み出し、コマンドとしてローカルサーバ１０３内の非接触ＩＣ通信部（ＲＷ側）１０３ａに送信する。
【００６７】
次いで、ローカルサーバ１０３内の非接触ＩＣ通信部（ＲＷ側）１０３ａは、非接触ＩＣカード１０２内の非接触ＩＣ通信部（カード側）１０２ａから送信されたコマンド（ユーザデータ）を受信して、制御部１０３ｂに出力する。
【００６８】
制御部１０３ｂは、非接触ＩＣ通信部（ＲＷ側）１０３ａからユーザデータが入力されると、予め記憶されたユーザ認証プログラムを起動して、ユーザデータの認証処理を行い（ステップＳ２０３）、その認証結果（ＯＫ／ＮＧ）を非接触ＩＣ通信部（ＲＷ側）１０３ａに出力して、非接触ＩＣ通信部（カード側）１０２ａにレスポンスとして送信させる（ステップＳ２０４）。
【００６９】
次いで、図１の（２）おいて、制御部１０３ｂは、ステップＳ２０２で受信したユーザデータに基づいて、通信処理結果を携帯電話器１０１に表示させるための表示情報を生成して、非接触ＩＣ通信部（ＲＷ側）１０３ａに出力する（ステップＳ２０５）。この場合、生成する表示情報の内容は、通信処理結果、今日のイベント、有効期限が切れそうな場合は更新手続きの案内、又はお得意さま向け情報などである。
【００７０】
次いで、図１の（３）おいて、非接触ＩＣ通信部（ＲＷ側）１０３ａは、制御部１０３ｂから生成データが入力されると、携帯電話器１０１内の非接触ＩＣ通信部（カード側）１０１ａとの間で通信接続処理を行う（ステップＳ２０６）。
【００７１】
通信接続が確立すると、携帯電話器１０１内の非接触ＩＣ通信部（カード側）１０１ａは、非接触ＩＣカード１０２を装着した携帯電話上のアプリケーションであることを認証し、認証データをローカルサーバ１０３内の非接触ＩＣ通信部（ＲＷ側）１０３ａに送信する。
【００７２】
また、事前に携帯電話上のアプリケーションプログラムが非接触ＩＣカード１０２上のアプリケーションプログラムと通信を行い、暗証番号のような情報を共有しておき、上記（１）において、その情報を非接触ＩＣカード１０２からローカルサーバ１０３に送信し、上記（２）において、携帯電話器１０１からローカルサーバ１０３に送信して認証するようにしてもよい。
【００７３】
そして、ローカルサーバ１０３内の非接触ＩＣ通信部（ＲＷ側）１０３ａは、携帯電話器１０１内の非接触ＩＣ通信部（カード側）１０１ａから送信された認証データを受信して、制御部１０３ｂに出力する。
【００７４】
制御部１０３ｂは、非接触ＩＣ通信部（ＲＷ側）１０３ａから認証データが入力されると、予め記憶された認証プログラムを起動して、認証データの認証処理を行い（ステップＳ２０７）、その認証結果がＯＫであれば、ステップＳ２０５で生成したデータを非接触ＩＣ通信部（ＲＷ側）１０３ａから携帯電話器１０１内の非接触ＩＣ通信部（カード側）１０１ａに送信させて（ステップＳ２０８）、本処理を終了する。
【００７５】
そして、携帯電話器１０１内の非接触ＩＣ通信部（カード側）１０１ａは、ローカルサーバ１０３内の非接触ＩＣ通信部（ＲＷ側）１０３ａから受信したデータを制御部１０１ｂに出力し、制御部１０１ｂにより受信データを表示部１０１ｃに表示させる。
【００７６】
以上のサービスシステム１００を利用することにより、例えば、以下のような適用例が実現できる。
【００７７】
プリペイド機能を備えた非接触ＩＣカードがＰＯＳ端末と決済処理を行い、その処理結果(決済金額と残高など)を直ちに携帯通信端末に通知する。
【００７８】
非接触ＩＣカードが改札機と改札処理を行い、その処理結果(乗り物の改札(回数券やプリペイドカードなど)やイベントのチケット改札など)を端末へ通知する。
【００７９】
なお、処理結果だけではなく、当該処理とは関係のない付加情報を通知するサービスも実現できる。例えば、社員が会社ビルの入館処理後、本日の予定／会議時間・場所の変更などを通知することができる。
【００８０】
また、有効期限のあるサービスの場合、有効期限切れ／間近に関する情報など、当該処理に関連した関連情報（当該サービスに関連した情報を含む）を通知することができる。
【００８１】
以上のように、本実施の形態のサービスシステム１００では、ユーザの操作がなくても、非接触ＩＣカード１０２の処理結果を携帯電話器１０１に表示することができる。
【００８２】
また、携帯電話器１０１には、非接触ＩＣカードとしての通信機能しか搭載しないため、ローカルサーバ１０３との通信時に、ローカルサーバ１０３から送信される通信コマンドにより起動電力が供給されるため、携帯電話器内の電池からの電力供給が不要であり、電池を無駄に消費することはない。
【００８３】
また、ローカルサーバ１０３には、新たにハードウェアを追加する必要がないため、システムコストを低減することができる。
【００８４】
また、ローカルサーバ１０３から携帯電話器１０１にデータを送信する場合は、送信前に予め非接触ＩＣカードにおいて認証されたユーザデータなどを用いて携帯電話上のアプリの認証を行うため、非接触ＩＣカードと携帯電話器を所有するユーザを認証してデータを送信することができ、セキュリティを保ちながらサービス環境を提供することができる。
【００８５】
（実施の形態２）
図３は、本発明の実施の形態２に係るサービスシステムの構成を示すブロック図であり、図１に示したサービスシステム１００と同一の構成部分には、同一符号を付して説明を省略する。
【００８６】
図３に示すサービスシステム３００において、図１に示したサービスシステム１００と異なる構成は、携帯電話器３０１内に新たに設けた非接触ＩＣ通信部（ＲＷ側）３０１ａである。
【００８７】
この非接触ＩＣ通信部（ＲＷ側）３０１ａは、非接触ＩＣカード１０２に対してデータの書き込みと読み出しを行う機能を備えている。この非接触ＩＣ通信部（ＲＷ側）３０１ａの機能は、携帯電話器３０１に設けられる起動スイッチ（図示せず）を操作することにより起動する。
【００８８】
そして、起動スイッチを操作した後、携帯電話器３０１を非接触ＩＣカード１０２に近づけることにより、非接触ＩＣ通信部（ＲＷ側）３０１ａは、非接触ＩＣカード１０２内の非接触ＩＣ通信部（カード側）１０２ａとの通信接続を確立し、非接触ＩＣ通信部（カード側）１０２ａに保存されたデータを読み出すデータ読み出しコマンドを非接触ＩＣ通信部（カード側）１０２ａに送信する。
【００８９】
非接触ＩＣ通信部（カード側）１０２ａは、非接触ＩＣ通信部（ＲＷ側）３０１ａから送信されたデータ読み出しコマンドに応じて、記憶されたデータを読み出して非接触ＩＣ通信部（ＲＷ側）３０１ａに送信する。
【００９０】
非接触ＩＣ通信部（ＲＷ側）３０１ａは、非接触ＩＣ通信部（カード側）１０２ａからデータを受信して制御部１０１ｂに出力することにより、表示部１０１ｃに受信データを表示させる。
【００９１】
したがって、携帯電話器３０１では、表示情報より詳細な情報である非接触ＩＣカード１０２に記憶されたデータをいつでも参照することができる。
【００９２】
（実施の形態３）
図４は、本発明の実施の形態３に係るサービスシステムの構成を示すブロック図であり、図１に示したサービスシステム１００と同一の構成部分には、同一符号を付して説明を省略する。
【００９３】
図４に示すサービスシステム４００において、図１に示したサービスシステム１００と異なる構成は、携帯電話器４０１内に新たに設けた非接触ＩＣ通信部（ＲＷ側）４０１ａである。
【００９４】
非接触ＩＣ通信部（ＲＷ側）４０１ａは、図中の（２）で示す動作タイミングにおいて、ローカルサーバ１０３内の非接触ＩＣ通信部（ＲＷ側）１０３ａから非接触ＩＣ通信部（カード側）１０１ａが受信したアクセスコマンドを用いて、非接触ＩＣカード１０２内の非接触ＩＣ通信部（カード側）１０２ａにアクセスし、非接触ＩＣカード１０２内に記憶された表示データを読み出して制御部１０１ｂにより表示部１０１ｃに表示させる機能を有する。
【００９５】
以下、図４のサービスシステム４００における動作について、図中に示す（１）〜（４）の順に説明する。
【００９６】
（１）では、実施の形態１の図１で説明した動作と同様に、非接触ＩＣカード１０２内の非接触ＩＣ通信部（カード側）１０２ａとローカルサーバ１０３内の非接触ＩＣ通信部（ＲＷ側）１０３ａとの間で、通信接続及び処理結果の送受信が行われて、その処理結果が非接触ＩＣカード１０２内に記憶される。
【００９７】
（２）では、（１）の処理の終了を受けて、ローカルサーバ１０３内の非接触ＩＣ通信部（ＲＷ側）１０３ａから携帯電話器４０１内の非接触ＩＣ通信部（カード側）１０１ａに対して、非接触ＩＣカード１０２内の非接触ＩＣ通信部（カード側）１０２ａにアクセスするためのアクセスコマンドが送信される。なお、アクセスコマンドには、非接触ＩＣカード１０２へのアクセスを命令する識別情報（他の接触ＩＣカードへのコマンド送信命令を示す識別情報）が含まれる。また、アクセスすべき非接触ＩＣカード１０２上のアプリケーションＩＤが含まれる場合もある。
【００９８】
そして、携帯電話器４０１内の非接触ＩＣ通信部（カード側）１０１ａは、ローカルサーバ１０３から受信したアクセスコマンドを制御部１０１ｂに出力する。制御部１０１ｂはこのタイミングで非接触ＩＣ通信部（ＲＷ側）４０１ａに電源を供給しても良い。制御部１０１ｂは、非接触ＩＣ通信部（カード側）１０１ａから入力されたアクセスコマンドに基づき、必要ならば非接触ＩＣ通信部（カード側）１０２ａのデータを読み出すコマンドに変換して非接触ＩＣ通信部（ＲＷ側）４０１ａに出力する。
【００９９】
次いで、（３）において、非接触ＩＣ通信部（ＲＷ側）４０１ａは、制御部１０１ｂから入力されたコマンドを用いて、非接触ＩＣカード１０２内の非接触ＩＣ通信部（カード側）１０２ａにアクセスし、記憶された表示データの読み出しを要求する。
【０１００】
非接触ＩＣカード１０２内の非接触ＩＣ通信部（カード側）１０２ａは、携帯電話器４０１内の非接触ＩＣ通信部（ＲＷ側）４０１ａから送信された表示データ読み出し要求に応じて、記憶された表示データを読み出して、携帯電話器４０１内の非接触ＩＣ通信部（ＲＷ側）４０１ａに送信する。
【０１０１】
携帯電話器４０１内の非接触ＩＣ通信部（ＲＷ側）４０１ａは、非接触ＩＣ通信部（カード側）１０２ａから受信した表示データを制御部１０１ｂに出力し、制御部１０１ｂによりデータ閲覧プログラムを起動させて、表示部１０１ｃに表示データを一覧表示させる（図中の（４））。
【０１０２】
以上のように、本実施の形態におけるサービスシステム４００では、ユーザの操作がなくても、非接触ＩＣカード１０２の処理結果を携帯電話器４０１に表示することができる。
【０１０３】
また、ローカルサーバ１０３は、非接触ＩＣカード１０２にアクセスするためのアクセスコマンドを携帯電話器４０１内の非接触ＩＣ通信部（カード側）１０１ａに送信するだけであるため、実施の形態１のように、ローカルサーバが処理を行ったＩＣカードと結びつけられた正しい携帯電話だという認証を行った後にデータそのものを送信する場合に比べて、データそのものは直接処理を行ったＩＣカードに送信するため、更にセキュアな環境を提供することができる。
【０１０４】
また、処理結果又はその表示データは、非接触ＩＣカード１０２内に全て保存し、携帯電話器４０１は、表示データを表示するだけであるため、非接触ＩＣカード１０２の残高情報などやその履歴情報と携帯電話器４０１の表示データのリンク付けや同期を取るなどの管理をする必要がなくなり、データを一元管理することができる。
【０１０５】
さらに、携帯電話器４０１は、表示用データを格納する必要がなく、表示データを閲覧するためのプログラムを持つだけで良いため、端末メモリを有効に利用処理負担を軽減することができる。また、（３）における通信には、非接触ＩＣ通信部（ＲＷ側）４０１ａへの電源供給が必要となるが、（２）の処理後、自動的に電源供給するようにすれば、電源供給の指示操作することなく、また電源節約ができるという、操作性・省エネ性に優れた表示を行うことができる。
【０１０６】
（実施の形態４）
図５は、本発明の実施の形態４に係るサービスシステムの構成を示すブロック図であり、図１に示したサービスシステム１００と同一の構成部分である非接触ＩＣカードには、同一符号を付して説明を省略する。
【０１０７】
図５に示すサービスシステム５００は、携帯電話器５０１と、非接触ＩＣカード１０２と、ローカルサーバ５０３と、を備えている。
【０１０８】
携帯電話器５０１は、ＲＦＩＤ通信部（タグ側）５０１ａと、制御部５０１ｂと、表示部５０１ｃと、を備えている。
【０１０９】
ＲＦＩＤ通信部（タグ側）５０１ａは、例えば、ＩＳＯ／ＩＥＣ１８０００規格のタグ仕様に基づくエアインタフェース及びプロトコル技術を用いた無線通信機能を有する。
【０１１０】
ＲＦＩＤ通信部（タグ側）５０１ａは、アンテナ５０１ｄが接続され、ローカルサーバ５０３内のＲＦＩＤ通信部（ＲＷ側）５０３ｃからコマンドを受信して通信接続し、非接触ＩＣカード１０２とローカルサーバ５０３との間で実行された処理結果が書き込まれると、その書き込まれた処理結果を制御部５０１ｂに出力する。
【０１１１】
制御部５０１ｂは、ＲＦＩＤ通信部（タグ側）５０１ａから入力された処理結果を携帯電話器５０１に表示するための表示情報を生成し、その表示情報を表示部５０１ｃに出力する。
【０１１２】
表示部５０１ｃは、液晶表示パネルなどの表示デバイスにより構成され、制御部５０１ｂから入力される表示情報を表示する。
【０１１３】
ローカルサーバ５０３は、ＰＯＳ端末、改札機、受付端末、ＡＴＭ等を想定するものであり、非接触ＩＣ通信部（ＲＷ側）５０３ａと、制御部５０３ｂと、ＲＦＩＤ通信部（ＲＷ側）５０３ｃとを備えている。
【０１１４】
非接触ＩＣ通信部（ＲＷ側）５０３ａは、例えば、ＩＳＯ／ＩＥＣ１８０００規格のリーダライタ仕様に基づくエアインタフェース及びプロトコル技術を用いた無線通信機能を有する。
【０１１５】
非接触ＩＣ通信部（ＲＷ側）５０３ａは、非接触ＩＣカード１０２内の非接触ＩＣ通信部（カード側）１０２ａにコマンドを送り通信接続し、制御部１０２ｂから入力されるコマンドを非接触ＩＣ通信部（カード側）１０２ａに送信し、非接触ＩＣ通信部（カード側）１０２ａから送信されるレスポンスを受信して制御部５０３ｂに出力する。
【０１１６】
制御部５０３ｂは、非接触ＩＣ通信部（ＲＷ側）５０３ａから入力されるレスポンスを、予め記憶されたアプリケーションプログラムで処理し、その処理結果をＲＦＩＤ通信部（ＲＷ側）５０３ｃに出力するとともに、通信機能を非接触ＩＣ通信部（ＲＷ側）５０１ａからＲＦＩＤ通信部（ＲＷ側）５０３ｃに切り換える。このタイミングで、ＲＦＩＤ通信部（ＲＷ側）５０３ｃへの電力供給を開始しても良い。
【０１１７】
ＲＦＩＤ通信部（ＲＷ側）５０３ｃは、制御部５０３ｂから処理結果が入力されると、携帯電話器５０１内のＲＦＩＤ通信部（タグ側）５０１ａにコマンドを送り通信接続し、処理結果をＲＦＩＤ通信部（タグ側）５０１ａに送信する。
【０１１８】
また、ＲＦＩＤ通信部（タグ側）５０１ａは、ＲＦＩＤ通信部（ＲＷ側）５０３ｃから送信されるコマンドによりデータのリード／ライトが行われる受動側であるため、（タグ側）という表記をしている。
【０１１９】
ＲＦＩＤ通信部（ＲＷ側）５０３ａは、ＲＦＩＤ通信部（タグ側）５０１ａにコマンドを送信してデータのリード／ライトを行う能動側であるため、（ＲＷ側）という表記をしている。
【０１２０】
なお、本実施の形態４以降に後述する実施の形態５〜１０においても同様に記載する。
【０１２１】
携帯電話器５０１内のＲＦＩＤ通信部（タグ側）５０１ａは、ローカルサーバ５０３内のＲＦＩＤ通信部（ＲＷ側）５０３ｃから送信されるコマンドをアンテナ５０１ｄで受信することにより、起動電力が供給されるため、ＲＦＩＤ通信部（タグ側）５０１ｃ用の電源は、搭載する必要がない。
【０１２２】
以下、本実施の形態のサービスシステム５００におけるサービス処理の具体的な動作について、図５に示す（１）〜（３）の順に説明するとともに、この時のローカルサーバ５０３の動作について、図６に示すフローチャートを参照して説明する。
【０１２３】
まず、（１）では、非接触ＩＣカード１０２を所有するユーザが、非接触ＩＣカード１０２をローカルサーバ５０３の近傍に近づけると、ローカルサーバ５０３内の非接触ＩＣ通信部（ＲＷ側）５０３ａは、非接触ＩＣカード１０２内の非接触ＩＣ通信部（カード側）１０２ａとの間で通信接続を確立する。
【０１２４】
以下、ローカルサーバ５０３の動作を図６に示すフローチャートにより説明する。
【０１２５】
図６において、非接触ＩＣ通信部（ＲＷ側）５０３ａは、非接触ＩＣカード１０２の接近の有無を検知し（ステップＳ６０１）、非接触ＩＣカード１０２の接近を検知すると（ステップＳ６０１：ＹＥＳ）、非接触ＩＣカード１０２内の非接触ＩＣ通信部（カード側）１０２ａとの間で通信接続処理を行う（ステップＳ６０２）。
【０１２６】
通信接続が確立すると、非接触ＩＣカード１０２内の非接触ＩＣ通信部（カード側）１０２ａは、予め記憶されたユーザデータ（例えば、電子署名付き会員証データなど）を読み出し、コマンドとしてローカルサーバ５０３内の非接触ＩＣ通信部（ＲＷ側）５０３ａに送信する。
【０１２７】
次いで、ローカルサーバ５０３内の非接触ＩＣ通信部（ＲＷ側）５０３ａは、非接触ＩＣカード１０２内の非接触ＩＣ通信部（カード側）１０２ａから送信されたコマンド（ユーザデータ）を受信して、制御部５０３ｂに出力する。
【０１２８】
制御部５０３ｂは、非接触ＩＣ通信部（ＲＷ側）５０３ａからユーザデータが入力されると、予め記憶されたユーザ認証プログラムを起動して、ユーザデータの認証処理を行い（ステップＳ６０３）、その認証結果（ＯＫ／ＮＧ）を非接触ＩＣ通信部（ＲＷ側）５０３ａに出力して、非接触ＩＣ通信部（カード側）１０２ａにレスポンスとして送信させる（ステップＳ６０４）。
【０１２９】
次いで、図５の（２）おいて、制御部５０３ｂは、ステップＳ６０２で受信したユーザデータに基づいて、通信処理結果を携帯電話器５０１に表示させるための表示情報を生成して、ＲＦＩＤ通信部（ＲＷ側）５０３ｃに出力する（ステップＳ６０５）。この場合、生成する表示情報の内容は、通信処理結果、今日のイベント、有効期限が切れそうな場合は更新手続きの案内、又はお得意さま向け情報などである。
【０１３０】
次いで、制御部５０３ｂは、通信機能を非接触ＩＣ通信部（ＲＷ側）５０３ａからＲＦＩＤ通信部（ＲＷ側）５０３ｃに切り換える（ステップＳ６０６）。
【０１３１】
次いで、図６の（３）おいて、ＲＦＩＤ通信部（ＲＷ側）５０３ｃは、制御部５０３ｂから表示情報が入力されると、携帯電話器５０１内のＲＦＩＤ通信部（タグ側）５０１ａにコマンドを送信して通信接続する（ステップＳ６０７）。
【０１３２】
この場合、ＲＦＩＤ通信部（タグ側）５０１ａには、例えば、携帯電話器５０１のユーザを認証するための認証データが記憶されている。そして、ローカルサーバ５０３内のＲＦＩＤ通信部（ＲＷ側）５０３ｃは、携帯電話器５０１内のＲＦＩＤ通信部（タグ側）５０１ａから認証データを読み出して、制御部５０３ｂに出力する。
【０１３３】
制御部５０３ｂは、ＲＦＩＤ通信部（ＲＷ側）５０３ｃから認証データが入力されると、予め記憶された認証プログラムを起動して、認証データの認証処理を行い（ステップＳ６０８）、その認証結果がＯＫであれば、ステップＳ６０５で生成した表示情報をＲＦＩＤ通信部（ＲＷ側）５０３ｃから携帯電話器５０１内のＲＦＩＤ通信部（タグ側）５０１ａに送信して書き込み（ステップＳ６０９）、本処理を終了する。
【０１３４】
そして、携帯電話器５０１内のＲＦＩＤ通信部（タグ側）５０１ａは、ローカルサーバ５０３内のＲＦＩＤ通信部（ＲＷ側）５０３ｃにより書き込まれた表示情報を制御部５０１ｂに出力し、制御部５０１ｂにより表示情報を表示部５０１ｃに表示させる。
【０１３５】
以上のサービスシステム５００を利用することにより、例えば、以下のような適用例が実現できる。
【０１３６】
プリペイド機能を備えた非接触ＩＣカードがＰＯＳ端末と決済処理を行い、その処理結果(決済金額と残高など)を直ちに携帯通信端末に通知する。
【０１３７】
非接触ＩＣカードが改札機と改札処理を行い、その処理結果(乗り物の改札(回数券やプリペイドカードなど)やイベントのチケット改札など)を端末へ通知する。
【０１３８】
なお、処理結果だけではなく、当該処理とは関係のない付加情報を通知するサービスも実現できる。例えば、社員が会社ビルの入館処理後、本日の予定／会議時間・場所の変更などを通知することができる。
【０１３９】
また、有効期限のあるサービスの場合、有効期限切れ／間近に関する情報など、当該処理に関連した関連情報（当該サービスに関連した情報を含む）を通知することができる。
【０１４０】
以上のように、本実施の形態のサービスシステム５００では、ユーザの操作がなくても、非接触ＩＣカード１０２の処理結果を携帯電話器５０１に表示することができる。
【０１４１】
また、携帯電話器５０１には、ＲＦＩＤとしての通信機能しか搭載しないため、ローカルサーバ５０３との通信時に、ローカルサーバから送信される通信コマンドにより起動電力が供給されるため、携帯電話器内の電池からの電力供給が不要であり、電池を無駄に消費することはない。
【０１４２】
また、ローカルサーバ５０３には、新たにハードウェアを追加する必要がないため、システムコストを低減することができる。
【０１４３】
また、ローカルサーバ５０３から携帯電話器５０１にデータを送信する場合は、送信前に予め非接触ＩＣカードにおいて認証されたユーザデータなどを用いて携帯電話上のアプリの認証を行うため、非接触ＩＣカードと携帯電話器を所有するユーザを認証してデータを送信することができ、セキュリティを保ちながらサービス環境を提供することができる。
【０１４４】
さらに、本実施の形態のサービスシステム５００では、携帯電話器５０１とローカルサーバ５０３との間で行う通信にＲＦＩＤを用いるようにしたため、非接触ＩＣカード１０２よりも長い距離で通信接続が可能となり、ユーザがローカルサーバ５０３から離れようとする場合にもデータの送受信が可能である。
【０１４５】
このため、ローカルサーバ５０３は、非接触ＩＣカード５０２と携帯電話器５０１との間の通信切り換え制御が容易になり、非接触ＩＣカード５０２と携帯電話器５０１との間で通信環境が干渉することを防止でき、サービスシステムの信頼性を向上させることができる。
【０１４６】
なお、図５では、携帯電話器５０１内のＲＦＩＤ通信部（タグ側）５０１ａのアンテナ５０１ｄと非接触ＩＣカード１０２内の非接触ＩＣ通信部（カード側）１０２ａとを波線で結んでいる。これは、携帯電話器５０１に設けたカードスロットに非接触ＩＣ通信部（カード側）１０２ａを装着する場合、アンテナ５０１ｄを共用することも可能であることを示している。
【０１４７】
この場合、ＲＦＩＤ通信部（タグ側）５０１ａと非接触ＩＣ通信部（カード側）１０２ａは、同一周波数でローカルサーバ５０３と通信することになるが、それぞれ通信プロトコルが異なるため、干渉は回避することができる。
【０１４８】
（実施の形態５）
図７は、本発明の実施の形態５に係るサービスシステムの構成を示すブロック図であり、図５に示したサービスシステム５００と同一の構成部分には、同一符号を付して説明を省略する。
【０１４９】
図７に示すサービスシステム６００において、図５に示したサービスシステム５００と異なる構成は、携帯電話器６０１内に新たに設けた非接触ＩＣ通信部（ＲＷ側）６０１ａである。
【０１５０】
この非接触ＩＣ通信部（ＲＷ側）６０１ａは、非接触ＩＣカード１０２に対してデータの書き込みと読み出しを行う機能を備えている。この非接触ＩＣ通信部（ＲＷ側）６０１ａは、携帯電話器６０１に設けられる起動スイッチ（図示せず）を操作することにより起動する。
【０１５１】
そして、起動スイッチを操作した後、携帯電話器６０１を非接触ＩＣカード１０２に近づけることにより、図７の（３）において、非接触ＩＣ通信部（ＲＷ側）６０１ａは、非接触ＩＣカード１０２内の非接触ＩＣ通信部（カード側）１０２ａとの通信接続を確立し、非接触ＩＣ通信部（カード側）１０２ａに保存されたデータを読み出すコマンドを非接触ＩＣ通信部（カード側）１０２ａに送信する。
【０１５２】
非接触ＩＣ通信部（カード側）１０２ａは、非接触ＩＣ通信部（ＲＷ側）６０１ａから送信されたデータ読み出しのコマンドに応じて、記憶されたデータを読み出してレスポンスとして非接触ＩＣ通信部（ＲＷ側）６０１ａに送信する。
【０１５３】
非接触ＩＣ通信部（ＲＷ側）６０１ａは、非接触ＩＣ通信部（カード側）１０２ａからレスポンスを受信して、その通信処理結果を携帯電話器６０１に表示させるための表示情報を生成して制御部５０１ｂに出力することにより、表示部５０１ｃに表示情報を表示させる。
【０１５４】
したがって、携帯電話器６０１では、非接触ＩＣカード１０２に記憶されたデータをいつでも参照することができる。また、図中（３）における通信には、非接触ＩＣ通信部（ＲＷ側）６０１ａへの電源供給が必要となるが、図中（２）の処理後、自動的に電源供給するようにすれば、電源供給の指示操作することなく、また電源節約ができるという、操作性・省エネ性に優れた表示を行うことができる。
【０１５５】
（実施の形態６）
図８は、本発明の実施の形態６に係るサービスシステムの構成を示すブロック図であり、図５に示したサービスシステム５００と同一の構成部分には、同一符号を付して説明を省略する。
【０１５６】
図７に示すサービスシステム７００において、図５に示したサービスシステム５００と異なる構成は、携帯電話器７０１内に新たに設けた非接触ＩＣ通信部（ＲＷ側）７０１ａである。
【０１５７】
非接触ＩＣ通信部（ＲＷ側）７０１ａは、図中の（２）で示す動作タイミングにおいて、ローカルサーバ５０３内のＲＦＩＤ通信部（ＲＷ側）５０３ｃからＲＦＩＤ通信部（タグ側）５０１ａに書き込まれたアクセスコマンドを用いて、非接触ＩＣカード１０２内の非接触ＩＣ通信部（カード側）１０２ａにアクセスし、非接触ＩＣカード１０２内に記憶された表示データを読み出して制御部５０１ｂにより表示部５０１ｃに表示させる機能を有する。
【０１５８】
なお、アクセスコマンドには、非接触ＩＣカード１０２へのアクセスを命令する識別情報（他の接触ＩＣカードへのコマンド送信命令を示す識別情報）が含まれる。また、アクセスすべき非接触ＩＣカード１０２上のアプリケーションＩＤが含まれる場合もある。
【０１５９】
以下、図８のサービスシステム７００における動作について、図中に示す（１）〜（４）の順に説明する。
【０１６０】
（１）では、実施の形態５の図５で説明した動作と同様に、非接触ＩＣカード１０２内の非接触ＩＣ通信部（カード側）１０２ａとローカルサーバ５０３内の非接触ＩＣ通信部（ＲＷ側）５０３ａとの間で、通信接続及び処理結果の送受信が行われて、その処理結果が非接触ＩＣカード１０２内に記憶される。
【０１６１】
（２）では、（１）の処理の終了を受けて、ローカルサーバ５０３内のＲＦＩＤ通信部（ＲＷ側）５０３ｃから携帯電話器７０１内のＲＦＩＤ通信部（タグ側）５０１ａに対して、非接触ＩＣカード１０２内の非接触ＩＣ通信部（カード側）１０２ａにアクセスするためのアクセスコマンドが書き込まれる。
【０１６２】
そして、携帯電話器７０１内のＲＦＩＤ通信部（タグ側）５０１ａは、ローカルサーバ５０３により書き込まれたアクセスコマンドを制御部５０１ｂに出力する。制御部５０１ｂは、ＲＦＩＤ通信部（タグ側）５０１ａから入力されたアクセスコマンドを非接触ＩＣ通信部（ＲＷ側）７０１ａに出力する。
【０１６３】
次いで、（３）において、非接触ＩＣ通信部（ＲＷ側）７０１ａは、制御部５０１ｂから入力されたコマンドを用いて、非接触ＩＣカード１０２内の非接触ＩＣ通信部（カード側）１０２ａにアクセスし、記憶された処理結果の読み出しを要求するコマンドを送信する。
【０１６４】
非接触ＩＣカード１０２内の非接触ＩＣ通信部（カード側）１０２ａは、携帯電話器７０１内の非接触ＩＣ通信部（ＲＷ側）７０１ａから送信された処理結果を読み出し要求するコマンドに応じて、記憶された処理結果を読み出してレスポンスとして、携帯電話器７０１内の非接触ＩＣ通信部（ＲＷ側）７０１ａに送信する。
【０１６５】
携帯電話器７０１内の非接触ＩＣ通信部（ＲＷ側）７０１ａは、非接触ＩＣ通信部（カード側）１０２ａからレスポンスを受信して、その処理結果を携帯電話器７０１に表示させるための表示情報を生成して制御部５０１ｂに出力し、制御部５０１ｂによりデータ閲覧プログラムを起動させて、表示部５０１ｃに処理結果を一覧表示させる（図中の（４））。
【０１６６】
以上のように、本実施の形態におけるサービスシステム７００では、ユーザの操作がなくても、非接触ＩＣカード１０２の処理結果を携帯電話器７０１に表示することができる。
【０１６７】
また、ローカルサーバ５０３は、非接触ＩＣカード１０２にアクセスするためのコマンドを携帯電話器７０１内のＲＦＩＤ通信部（タグ側）５０１ａに送信するだけであるため、実施の形態５のようにデータそのものを送信する場合に比べて、更にセキュアな環境を提供することができる。
【０１６８】
また、処理結果は、非接触ＩＣカード１０２内に全て保存し、携帯電話器７０１は、処理結果を表示するだけであるため、非接触ＩＣカード１０２と携帯電話器７０１の双方で、処理結果の同期を取るなどの管理をする必要がなくなり、データを一元管理することができる。
【０１６９】
さらに、携帯電話器７０１は、処理結果を閲覧するためのプログラムを持つだけで良いため、処理負担を軽減することができる。
【０１７０】
（実施の形態７）
図９は、本発明の実施の形態７に係るサービスシステムの構成を示すブロック図である。図９に示すサービスシステム８００は、携帯電話器８０１と、ＲＦＩＤタグ８０２と、ローカルサーバ８０３と、を備えている。
【０１７１】
携帯電話器８０１は、ＲＦＩＤ通信部（タグ側）８０１ａと、制御部８０１ｂと、表示部８０１ｃと、を備えている。
【０１７２】
ＲＦＩＤ通信部（タグ側）８０１ａは、例えば、ＩＳＯ／ＩＥＣ１８０００規格のタグ仕様に基づくエアインタフェース及びプロトコル技術を用いた無線通信機能を有する。
【０１７３】
ＲＦＩＤ通信部（タグ側）８０１ａは、ローカルサーバ８０３内のＲＦＩＤ通信部（ＲＷ側）８０３ａからコマンドを受信して通信接続し、ＲＦＩＤタグ８０２とローカルサーバ８０３との間で実行された処理結果が書き込まれると、その書き込まれた処理結果を制御部８０１ｂに出力する。
【０１７４】
制御部８０１ｂは、ＲＦＩＤ通信部（タグ側）８０１ａから入力された処理結果を携帯電話器８０１に表示するための表示情報を生成し、その表示情報を表示部８０１ｃに出力する。
【０１７５】
表示部８０１ｃは、液晶表示パネルなどの表示デバイスにより構成され、制御部８０１ｂから入力される表示情報を表示する。
【０１７６】
ＲＦＩＤタグ８０２は、ＲＦＩＤ通信部（タグ側）８０２ａと、制御部８０２ｂと、を備えている。
【０１７７】
ＲＦＩＤ通信部（タグ側）８０２ａは、例えば、ＩＳＯ／ＩＥＣ１８０００規格のタグ仕様に基づくエアインタフェース及びプロトコル技術を用いた無線通信機能を有する。
【０１７８】
ＲＦＩＤ通信部（タグ側）８０２ａは、ローカルサーバ８０３内のＲＦＩＤ通信部（ＲＷ側）８０３ａからコマンドを受信して通信接続し、予め記憶されたユーザデータがＲＦＩＤ通信部（ＲＷ側）８０３ａにより読み出され、また、ローカルサーバ８０３で処理された処理結果がＲＦＩＤ通信部（ＲＷ側）８０３ａにより書き込まれる。
【０１７９】
制御部８０２ｂは、ＲＦＩＤ通信部（タグ側）８０２ａにより読み出されるユーザデータを記憶するとともに、処理結果を書き込む記憶領域を有する。
【０１８０】
ローカルサーバ８０３は、ＰＯＳ端末、改札機、受付端末、ＡＴＭ等を想定するものであり、ＲＦＩＤ通信部（ＲＷ側）８０３ａと、制御部８０３ｂと、を備えている。
【０１８１】
ＲＦＩＤ通信部（ＲＷ側）８０３ａは、例えば、ＩＳＯ／ＩＥＣ１８０００規格のリーダライタ仕様に基づくエアインタフェース及びプロトコル技術を用いた無線通信機能を有する。
【０１８２】
ＲＦＩＤ通信部（ＲＷ側）８０３ａは、ＲＦＩＤタグ８０２内のＲＦＩＤ通信部（タグ側）８０２ａにコマンドを送信して通信接続し、ＲＦＩＤ通信部（タグ側）８０２ａからデータを読み出して制御部８０３ｂに出力し、制御部８０３ｂで処理された処理結果をＲＦＩＤ通信部（タグ側）８０２ａに書き込む。
【０１８３】
制御部８０３ｂは、ＲＦＩＤ通信部（ＲＷ側）８０３ａから入力されるＲＦＩＤ通信部（タグ側）８０２ａからの読み出しデータを、予め記憶されたアプリケーションプログラムで処理し、その処理結果をＲＦＩＤ通信部（ＲＷ側）８０３ａに出力する。
【０１８４】
以下、本実施の形態のサービスシステム８００におけるサービス処理の具体的な動作にいて、図９に示す（１）〜（２）の順に説明するとともに、この時のローカルサーバ８０３の動作について、図１０に示すフローチャートを参照して説明する。
【０１８５】
まず、（１）の「Ｒｅａｄ」動作では、ＲＦＩＤタグ８０２を所有するユーザが、ＲＦＩＤタグ８０２をローカルサーバ８０３の近傍に近づけると、ローカルサーバ８０３内のＲＦＩＤ通信部（ＲＷ側）８０３ａは、ＲＦＩＤタグ８０２内のＲＦＩＤ通信部（タグ側）８０２ａにコマンドを送信して通信接続を確立する。
【０１８６】
以下、ローカルサーバ８０３の動作を図１０に示すフローチャートにより説明する。
【０１８７】
図１０において、ＲＦＩＤ通信部（ＲＷ側）８０３ａは、ＲＦＩＤタグ８０２の接近の有無を検知し（ステップＳ７０１）、ＲＦＩＤタグ８０２の接近を検知すると（ステップＳ７０１：ＹＥＳ）、ＲＦＩＤタグ８０２内のＲＦＩＤ通信部（タグ側）８０２ａにコマンドを送信して通信接続処理を行う（ステップＳ７０２）。
【０１８８】
通信接続が確立すると、ＲＦＩＤタグ８０２内のＲＦＩＤ通信部（タグ側）８０２ａに予め記憶されたユーザデータ（例えば、電子署名付き会員証データなど）が、ローカルサーバ８０３内のＲＦＩＤ通信部（ＲＷ側）８０３ａにより読み出される。
【０１８９】
次いで、ローカルサーバ８０３内のＲＦＩＤ通信部（ＲＷ側）８０３ａは、ＲＦＩＤタグ８０２内のＲＦＩＤ通信部（タグ側）８０２ａから読み出したユーザデータを制御部８０３ｂに出力する。
【０１９０】
制御部８０３ｂは、ＲＦＩＤ通信部（ＲＷ側）８０３ａからユーザデータが入力されると、予め記憶されたユーザ認証プログラムを起動して、ユーザデータの認証処理を行う（ステップＳ７０３）。
【０１９１】
その認証結果がＯＫの場合、図９の（２）の「Ｗｒｉｔｅ」において、制御部８０３ｂは、携帯電話器８０１に表示する表示情報を生成して、ＲＦＩＤ通信部（ＲＷ側）８０３ａに出力する（ステップＳ７０４）。この場合、生成する表示情報は、処理結果、今日のイベント、有効期限が切れそうな場合は更新手続きの案内、又はお得意さま向け情報などである。
【０１９２】
次いで、ＲＦＩＤ通信部（ＲＷ側）８０３ａは、制御部８０３ｂから表示情報が入力されると一旦保持し、携帯電話器８０１内のＲＦＩＤ通信部（タグ側）８０１ａにコマンドを送信して通信接続処理を行う（ステップＳ７０５）。
【０１９３】
この場合、ＲＦＩＤ通信部（タグ側）８０１ａは、携帯電話上のアプリケーションプログラムがユーザデータ、又は、ユーザデータの一部を保持するようにしてもよい。
【０１９４】
そして、ローカルサーバ８０３内のＲＦＩＤ通信部（ＲＷ側）８０３ａは、携帯電話器８０１内のＲＦＩＤ通信部（タグ側）８０１ａから認証データを読み出して、制御部８０３ｂに出力する。
【０１９５】
制御部８０３ｂは、ＲＦＩＤ通信部（ＲＷ側）８０３ａから認証データが入力されると、予め記憶された認証プログラムを起動して、認証データの認証処理を行い（ステップＳ７０６）、その認証結果がＯＫであれば、ステップＳ７０５で保持した表示情報を、ＦＩＤ通信部（ＲＷ側）８０３ａにより携帯電話器８０１内のＲＦＩＤ通信部（タグ側）８０１ａに書き込んで（ステップＳ７０７）、本処理を終了する。
【０１９６】
そして、携帯電話器８０１内のＲＦＩＤ通信部（タグ側）８０１ａは、ローカルサーバ８０３内のＲＦＩＤ通信部（ＲＷ側）８０３ａにより書き込まれた表示情報を制御部８０１ｂに出力し、制御部８０１ｂにより表示情報を表示部８０１ｃに表示させる。
【０１９７】
以上のサービスシステム８００を利用することにより、例えば、以下のような適用例が実現できる。
【０１９８】
ＲＦＩＤタグ８０２は、固有情報のみを保持するため、処理に関連した情報はローカルサーバ８０３で全て保持することになり、このような情報の保持形態をとるため、適用可能なサービスは、決済処理や改札処理などである。
【０１９９】
例えば、クレジットカード番号や改札処理のための識別情報に相当するような固有情報をＲＦＩＤタグに格納しておき、その情報に基づいて、ＰＯＳ端末や改札機が決済処理や改札処理を行うことができる。この場合、決済内容や残高などは全てローカルサーバ側で管理すればよい。
【０２００】
以上のように、本実施の形態のサービスシステム８００では、ユーザの操作がなくても、ＲＦＩＤタグ８０２に格納された固有情報に基づいて、ローカルサーバで処理された結果を携帯電話器８０１に表示することができる。
【０２０１】
また、携帯電話器８０１には、ＲＦＩＤとしての通信機能しか搭載しないため、ローカルサーバ８０３との通信時に、ローカルサーバから送信される通信コマンドにより起動電力が供給されるため、携帯電話器内の電池からの電力供給が不要であり、電池を無駄に消費することはない。
【０２０２】
また、ローカルサーバ８０３には、新たにハードウェアを追加する必要がないため、システムコストを低減することができる。
【０２０３】
さらに、本実施の形態のサービスシステム８００では、携帯電話器８０１とローカルサーバ８０３との間で行う通信にＲＦＩＤを用いるようにしたため、長い距離で通信接続が可能となり、ユーザがローカルサーバ８０３から離れようとする場合にもデータの送受信が可能である。
【０２０４】
（実施の形態８）
図１１は、本発明の実施の形態８に係るサービスシステムの構成を示すブロック図であり、図９に示したサービスシステム８００と同一の構成部分には、同一符号を付して説明を省略する。
【０２０５】
図１１に示すサービスシステム９００において、図９に示したサービスシステム８００と異なる構成は、携帯電話器９０１内に設けた非接触ＩＣ通信部（カード側）９０１ａと、ローカルサーバ９０３内に設けた非接触ＩＣ通信部（ＲＷ）９０３ａである。
【０２０６】
非接触ＩＣ通信部（カード側）９０１ａは、ローカルサーバ９０３内の非接触ＩＣ通信部（ＲＷ側）９０３ａとの間で通信接続してコマンドを受け付け、受信したコマンドを制御部８０１ｂに送信し、制御部８０１ｂから入力されるレスポンスを非接触ＩＣ通信部（ＲＷ側）９０３ａに送信する。
【０２０７】
非接触ＩＣ通信部（ＲＷ側）９０３ａは、例えば、ＩＳＯ／ＩＥＣ１８０００規格のリーダライタ仕様に基づくエアインタフェース及びプロトコル技術を用いた無線通信機能を有する。
【０２０８】
非接触ＩＣ通信部（ＲＷ側）９０３ａは、携帯電話器９０１内の非接触ＩＣ通信部（カード側）９０１ａにコマンドを送り通信接続し、制御部８０３ｂから入力されるコマンドを非接触ＩＣ通信部（カード側）９０１ａに送信し、非接触ＩＣ通信部（カード側）９０１ａから送信されるレスポンスを受信して制御部８０３ｂに出力する。
【０２０９】
携帯電話器９０１内の非接触ＩＣ通信部（カード側）９０１ａは、ローカルサーバ９０３内の非接触ＩＣ通信部（ＲＷ側）９０３ａから送信されるコマンドにより、起動電力が供給されるため、非接触ＩＣ通信部（カード側）９０１ａ用の電源は搭載する必要がない。
【０２１０】
以下、本実施の形態のサービスシステム９００におけるサービス処理の具体的な動作について、図１１に示す（１）〜（２）の順に説明する。
【０２１１】
まず、（１）では、ＲＦＩＤタグ８０２を所有するユーザが、ＲＦＩＤタグ８０２をローカルサーバ９０３の近傍に近づけると、ローカルサーバ９０３内のＲＦＩＤ通信部（ＲＷ側）８０３ａは、ＲＦＩＤタグ８０２内のＲＦＩＤ通信部（タグ側）８０２ａにコマンドを送信して通信接続を確立する。
【０２１２】
通信接続が確立すると、ＲＦＩＤタグ８０２内のＲＦＩＤ通信部（タグ側）８０２ａは、予め記憶されたユーザデータ（例えば、電子署名付き会員証データなど）がローカルサーバ９０３内のＲＦＩＤ通信部（ＲＷ側）８０３ａにより読み出される。
【０２１３】
次いで、ローカルサーバ９０３内のＲＦＩＤ通信部（ＲＷ側）８０３ａは、ＲＦＩＤタグ８０２内のＲＦＩＤ通信部（タグ側）８０２ａから読み出したユーザデータを制御部８０３ｂに出力する。
【０２１４】
制御部８０３ｂは、ＲＦＩＤ通信部（ＲＷ側）８０３ａからユーザデータが入力されると、予め記憶されたユーザ認証プログラムを起動して、ユーザデータの認証処理を行う。
【０２１５】
次いで、図１１の（２）おいて、制御部８０３ｂは、携帯電話器９０１に表示する表示情報を生成して、非接触ＩＣ通信部（ＲＷ側）９０３ａに出力する。
【０２１６】
次いで、制御部８０３ｂは、通信機能をＲＦＩＤ通信部（ＲＷ側）８０３ａから非接触ＩＣ通信部（ＲＷ側）９０３ａに切り換える。非接触ＩＣ通信部（ＲＷ側）９０３ａは、制御部８０３ｂから表示情報が入力されると一旦保持し、携帯電話器９０１内の非接触ＩＣ通信部（カード側）９０１ａにコマンドを送信して通信接続処理を行う。
【０２１７】
そして、ローカルサーバ９０３内の非接触ＩＣ通信部（ＲＷ側）９０３ａは、携帯電話器９０１内の非接触ＩＣ通信部（カード側）９０１ａから送信されるレスポンスとしての認証データを受信して、制御部８０３ｂに出力する。
【０２１８】
制御部８０３ｂは、非接触ＩＣ通信部（ＲＷ側）９０３ａから認証データが入力されると、予め記憶された認証プログラムを起動して、認証データの認証処理を行い、その認証結果がＯＫであれば、先に保持した表示情報を非接触ＩＣ通信部（ＲＷ側）９０３ａから携帯電話器９０１内の非セッションＩＣ通信部（カード側）９０１ａにコマンドとして送信させる。
【０２１９】
そして、携帯電話器９０１内の非接触ＩＣ通信部（カード側）９０１ａは、ローカルサーバ９０３内の非接触ＩＣ通信部（ＲＷ側）９０３ａから受信した表示情報を制御部８０１ｂに出力し、制御部８０１ｂにより表示情報を表示部８０１ｃに表示させる。
【０２２０】
以上のサービスシステム９００を利用することにより、例えば、以下のような適用例が実現できる。
【０２２１】
プリペイド機能を備えた非接触ＩＣカードがＰＯＳ端末と決済処理を行い、その処理結果(決済金額と残高など)を直ちに携帯通信端末に通知する。
【０２２２】
非接触ＩＣカードが改札機と改札処理を行い、その処理結果(乗り物の改札(回数券やプリペイドカードなど)やイベントのチケット改札など)を端末へ通知する。
【０２２３】
なお、処理結果だけではなく、当該処理とは関係のない付加情報を通知するサービスも実現できる。例えば、社員が会社ビルの入館処理後、本日の予定／会議時間・場所の変更などを通知することができる。
【０２２４】
また、有効期限のあるサービスの場合、有効期限切れ／間近に関する情報など、当該処理に関連した関連情報（当該サービスに関連した情報を含む）を通知することができる。
【０２２５】
以上のように、本実施の形態のサービスシステム９００では、ユーザの操作がなくても、ＲＦＩＤタグ８０２に格納された固有情報に基づいてローカルサーバ９０３で処理された処理結果を携帯電話器９０１に表示することができる。
【０２２６】
また、携帯電話器９０１には、非接触ＩＣ通信部（カード側）としての通信機能しか搭載しないため、ローカルサーバ９０３との通信時に、ローカルサーバ９０３から送信されるコマンドにより起動電力が供給されるため、携帯電話器内の電池からの電力供給が不要であり、電池を無駄に消費することはない。
【０２２７】
また、ローカルサーバ９０３には、新たにハードウェアを追加する必要がないため、システムコストを低減することができる。
【０２２８】
さらに、本実施の形態のサービスシステム９００では、携帯電話器９０１とローカルサーバ９０３との間で行う通信に非接触ＩＣ通信を用いるようにしたため、ローカルサーバ９０３は、ＲＦＩＤタグ８０２と携帯電話器９０１との間の通信切り換え制御が容易になり、ＲＦＩＤタグ８０２と携帯電話器９０１との間で通信環境が干渉することを防止でき、サービスシステムの信頼性を向上させることができる。
【０２２９】
（実施の形態９）
図１２は、本発明の実施の形態９に係るサービスシステムの構成を示すブロック図である。図１２において、サービスシステム１０００は、携帯電話器１００１と、接触ＩＣカード１００２と、ローカルサーバ１００３と、を備えている。
【０２３０】
携帯電話器１００１は、ＲＦＩＤ通信部（タグ側）１００１ａと、制御部１００１ｂと、接触ＩＣ通信部（ＲＷ側）１００１ｃと、表示部１００１ｄと、を備えている。
【０２３１】
ＲＦＩＤ通信部（タグ側）１００１ａは、例えば、ＩＳＯ／ＩＥＣ１８０００規格のタグ仕様に基づくエアインタフェース及びプロトコル技術を用いた無線通信機能を有する。
【０２３２】
ＲＦＩＤ通信部（タグ側）１００１ａは、ローカルサーバ１００３内のＲＦＩＤ通信部（ＲＷ側）１００３ａからコマンドを受信して通信接続し、ＲＦＩＤ通信部（ＲＷ側）１００３ａにより書き込まれる暗号化データを制御部１００１ｂに出力する。
【０２３３】
制御部１００１ｂは、ＲＦＩＤ通信部（タグ側）１００１ａから入力された暗号化データを接触ＩＣ通信部（ＲＷ側）１００１ｃに出力し、その暗号化データの復号化データを接触ＩＣ通信部（ＲＷ側）１００１ｃから受信すると、その復号化データを表示するための表示情報を生成して表示部１００１ｄに出力する。
【０２３４】
接触ＩＣ通信部（ＲＷ側）１００１ｃは、携帯電話器１００１が接触ＩＣカード１００２と接触されたときに、接触ＩＣ通信部（カード側）１００２ｃにコマンドを送信して通信接続し、制御部１００１ｂから入力された暗号化データと復号化を要求するコマンドを接触ＩＣ通信部（カード側）１００２ｃに送信し、この要求により接触ＩＣ通信部（カード側）１００２ｃから送信される復号化データを受信して、制御部１００１ｂに出力する。
【０２３５】
表示部１００１ｄは、液晶表示パネルなどの表示デバイスにより構成され、制御部１００１ｂから入力される表示情報を表示する。
【０２３６】
接触ＩＣカード１００２は、ＲＦＩＤ通信部（タグ側）１００２ａと、制御部１００２ｂと、接触ＩＣ通信部（カード側）１００２ｃと、制御部１００２ｄと、を備えている。
【０２３７】
この接触ＩＣカード１００２は、ＲＦＩＤ機能と接触ＩＣカード機能を搭載し、その各機能を個別に使用可能な、いわゆるハイブリット型ＩＣカードである。
【０２３８】
ＲＦＩＤ通信部（タグ側）１００２ａは、例えば、ＩＳＯ／ＩＥＣ１８０００規格のタグ仕様に基づくエアインタフェース及びプロトコル技術を用いた無線通信機能を有する。
【０２３９】
ＲＦＩＤ通信部（タグ側）１００２ａは、ローカルサーバ１００３内のＲＦＩＤ通信部（ＲＷ側）１００３ａからコマンドを受信して通信接続し、制御部１００２ｂから入力されるユーザデータがＲＦＩＤ通信部（ＲＷ側）１００３ａにより読み出され、ＲＦＩＤ通信部（ＲＷ側）１００３ａにより書き込まれる処理結果を制御部１００２ｂに出力する。
【０２４０】
制御部１００２ｂは、ＲＦＩＤ通信部（ＲＷ側）１００３ａにより読み出されるユーザデータを記憶するとともに、処理結果を書き込む記憶領域を有する。
【０２４１】
接触ＩＣ通信部（カード側）１００２ｃは、暗号化データを復号化するための秘密鍵を予め記憶し、携帯電話器１００１内の接触ＩＣ通信部（ＲＷ側）１００１ｃからコマンドを受信して通信接続し、接触ＩＣ通信部（ＲＷ側）１００１ｃから受信する暗号化データと秘密鍵を制御部１００２ｄに出力して復号化し、その復号化データを接触ＩＣ通信部（ＲＷ側）１００１ｃに送信する。
【０２４２】
制御部１００２ｄは、接触ＩＣ通信部（カード側）１００２ｃから入力される暗号化データと秘密鍵により、暗号化データを復号化処理し、その復号化データを接触ＩＣ通信部（カード側）１００２ｃに出力する。
【０２４３】
ローカルサーバ１００３は、ＰＯＳ端末、改札機、受付端末、ＡＴＭ等を想定するものであり、ＲＦＩＤ通信部（ＲＷ側）１００３ａと、制御部１００３ｂと、を備えている。
【０２４４】
ＲＦＩＤ通信部（ＲＷ側）１００３ａは、例えば、ＩＳＯ／ＩＥＣ１８０００規格のリーダライタ仕様に基づくエアインタフェース及びプロトコル技術を用いた無線通信機能を有する。
【０２４５】
ＲＦＩＤ通信部（ＲＷ側）１００３ａは、接触ＩＣカード１００２内のＲＦＩＤ通信部（タグ側）１００２ａにコマンドを送信して通信接続し、ＲＦＩＤ通信部（タグ側）１００２ａからユーザデータを読み出して制御部１００３ｂに出力し、制御部１００３ｂから入力される処理結果をＲＦＩＤ通信部（タグ側）１００２ａに書き込む。また、ＲＦＩＤ通信部（ＲＷ側）１００３ａは、携帯電話器１００１内のＲＦＩＤ通信部（タグ側）１００１ａにコマンドを送信して通信接続し、制御部１００３ｂから入力される処理結果の暗号化データをＲＦＩＤ通信部（タグ側）１００１ａに書き込む。
【０２４６】
制御部１００３ｂは、処理結果を予め接触ＩＣカード１００２との間で決められた公開鍵を用いて暗号化し、その暗号化データをＲＦＩＤ通信部（ＲＷ側）１００３ａに出力して、携帯電話器１００１のＲＦＩＤ通信部（タグ側）１００１ａに書き込ませる。
【０２４７】
以下、本実施の形態のサービスシステム１０００におけるサービス処理の具体的な動作にいて、図１２に示す（１）〜（５）の順に説明するとともに、この時のローカルサーバ８０３の動作について、図１３に示すフローチャートを参照して説明する。
【０２４８】
まず、（１）では、接触ＩＣカード１００２を所有するユーザが、接触ＩＣカード１００２をローカルサーバ１００３の近傍に近づけると、ローカルサーバ１００３内のＲＦＩＤ通信部（ＲＷ側）１００３ａは、接触ＩＣカード１００２内のＲＦＩＤ通信部（タグ側）１００２ａを検知し（ステップＳ８０１：ＹＥＳ）、接触ＩＣカード１００２内のＲＦＩＤ通信部（タグ側）１００２ａにコマンドを送信して通信接続を確立する（ステップＳ８０２）。
【０２４９】
通信接続が確立すると、ＲＦＩＤ通信部（ＲＷ側）１００３ａは、接触ＩＣカード１００２内のＲＦＩＤ通信部（タグ側）１００２ａに予め記憶されたユーザデータ（例えば、電子署名付き会員証データなど）を読み出して制御部１００３ｂに出力する。
【０２５０】
制御部１００３ｂは、ＲＦＩＤ通信部（ＲＷ側）１００３ａからユーザデータが入力されると、予め記憶されたユーザ認証プログラムを起動して、ユーザデータの認証処理を行う（ステップＳ８０３）。
【０２５１】
認証ＯＫであれば、図１２の（２）おいて、制御部１００３ｂは、携帯電話器１００１に表示する表示情報を生成し（ステップＳ８０４）、予め接触ＩＣカード１００２との間で決められた公開鍵を用いて暗号化し（ステップＳ８０５）、その暗号化データを非接触ＩＣ通信部（ＲＷ側）１００３ａに出力する。
【０２５２】
この場合、表示情報の内容は、データ処理結果、今日のイベント、有効期限が切れそうな場合は更新手続きの案内、又はお得意さま向け情報などである。
【０２５３】
次いで、ＲＦＩＤ通信部（ＲＷ側）１００３ａは、制御部１００３ｂから暗号化データが入力されると一旦保持し、携帯電話器１００１内のＲＦＩＤ通信部（タグ側）１００１ａにコマンドを送信して通信接続処理を行う（ステップＳ８０６）。
【０２５４】
この場合、ＲＦＩＤ通信部（タグ側）１００１ａは、携帯電話上のアプリケーションプログラムがユーザデータ、又は、ユーザデータの一部を保持するようにしてもよい。
【０２５５】
そして、ローカルサーバ１００３内のＲＦＩＤ通信部（ＲＷ側）１００３ａは、携帯電話器１００１内のＲＦＩＤ通信部（タグ側）１００１ａから認証データを読み出して、制御部１００３ｂに出力する。
【０２５６】
制御部１００３ｂは、ＲＦＩＤ通信部（ＲＷ側）１００３ａから認証データが入力されると、予め記憶された認証プログラムを起動して、認証データの認証処理を行い（ステップＳ８０７）、その認証結果がＯＫであれば、ステップＳ８０６で保持した暗号化データをＲＦＩＤ通信部（ＲＷ側）１００３ａから携帯電話器１００１内のＲＦＩＤ通信部（タグ側）１００１ａに書き込ませて（ステップＳ８０８）、本処理を終了する。
【０２５７】
そして、携帯電話器１００１内のＲＦＩＤ通信部（タグ側）１００１ａは、ローカルサーバ１００３内のＲＦＩＤ通信部（ＲＷ側）１００３ａにより書き込まれた暗号化データを制御部１００１ｂに出力する。
【０２５８】
制御部１００１ｂは、ＲＦＩＤ通信部（タグ側）１００１ａから入力された暗号化データを接触ＩＣ通信部（ＲＷ側）１００１ｃに出力する。
【０２５９】
接触ＩＣ通信部（ＲＷ側）１００１ｃは、携帯電話器１００１が接触ＩＣカード１００２と接触されたときに、接触ＩＣ通信部（カード側）１００２ｃにコマンドを送信して通信接続し、制御部１００１ｂから入力された暗号化データと復号化を要求するコマンドを接触ＩＣ通信部（カード側）１００２ｃに送信する。
【０２６０】
接触ＩＣ通信部（カード側）１００２ｃは、携帯電話器１００１内の接触ＩＣ通信部（ＲＷ側）１００１ｃからコマンドを受信して通信接続し、接触ＩＣ通信部（ＲＷ側）１００１ｃから送信される暗号化データと復号化を要求するコマンドに応じて、暗号化データを復号化するため予め記憶した秘密鍵と、受信した暗号化データを制御部１００２ｄに出力する。
【０２６１】
制御部１００２ｄは、接触ＩＣ通信部（カード側）１００２ｃから入力される暗号化データと秘密鍵により、暗号化データを復号化処理し、その復号化データを接触ＩＣ通信部（カード側）１００２ｃに出力する。
【０２６２】
接触ＩＣ通信部（カード側）１００２ｃは、制御部１００２ｄから入力された復号化データをレスポンスとして携帯電話器１００１の接触ＩＣ通信部（ＲＷ側）１００１ｃに送信する。
【０２６３】
接触ＩＣ通信部（ＲＷ側）１００１ｃは、接触ＩＣ通信部（カード側）１００２ｃから送信されるレスポンスである復号化データを受信して制御部１００１ｂに出力する。
【０２６４】
制御部１００１ｂは、接触ＩＣ通信部（ＲＷ側）１００１ｃから復号化データが入力されると、その復号化データを表示する表示情報を生成して表示部１００１ｄに表示する。
【０２６５】
以上のように、本実施の形態のサービスシステム１０００では、ＲＦＩＤ機能と接触ＩＣカード機能とを搭載したハイブリット型の接触ＩＣカード１００２は、ローカルサーバ１００３との間の通信接続はＲＦＩＤ通信機能を利用してデータ処理し、ＲＦＩＤ通信機能と接触ＩＣ通信機能を搭載した携帯電話器１００１は、ローカルサーバ１００３との間の通信接続はＲＦＩＤ通信機能を利用して公開鍵で暗号化された暗号化データを受信し、その暗号化データは、接触ＩＣカード１００２内の接触ＩＣ通信部（カード側）１００２ｃに記憶された秘密鍵で復号化させてから、携帯電話器１００１で表示するようにした。
【０２６６】
このため、例えば、暗号化データが盗まれて、成りすましが行われたたとしても、ユーザ登録された正規の接触ＩＣカードを持っていなければ、復号化データを取得することはできず、セキュアなデータ処理を行うことができる。
【０２６７】
したがって、本実施の形態のサービスシステム１０００では、ユーザの操作がなくても、接触ＩＣカード１００２に格納された固有情報に基づいてローカルサーバ１００３で処理された結果を、データのセキュリティを保持しながら携帯電話器１００１に表示することができる。
【０２６８】
また、ローカルサーバ１００３には、新たにハードウェアを追加する必要がなく、携帯電話器１００１及び接触ＩＣカード１００２に搭載したＲＦＩＤ通信機能及び接触ＩＣ通信機能も既存のＩＣチップで実現できるため、サービスシステム全体のコストを低減することができる。
【０２６９】
さらに、本実施の形態のサービスシステム１０００では、ＲＦＩＤ機能と接触ＩＣカード機能とを搭載したハイブリット型の接触ＩＣカード１００２を利用して、ローカルサーバ１００３との通信接続及びデータ処理と、携帯電話器１００１との通信接続とデータ処理とを分離し、かつデータの復号化処理を接触ＩＣ機能を介して行うようにしたため、３者間の通信処理が干渉することなく、セキュアな環境でデータ授受を実行することができ、サービスシステムの信頼性を向上させることができる。
【０２７０】
（実施の形態１０）
図１４は、本発明に実施の形態１０に係るサービスシステムの構成を示すブロック図であり、図１２に示したサービスシステム１０００と同一の構成部分には、同一符号を付して説明を省略する。
【０２７１】
図１４に示すサービスシステム１１００において、図１２に示したサービスシステム１０００と異なる構成は、携帯電話器１１０１内に設けた通信部１１０１ａと、ローカルサーバ１１０３内に設けた通信部１１０３ａである。
【０２７２】
通信部１１０１ａ及び通信部１１０３ａは、無線ＬＡＮ、Ｂｌｕｅｔｏｏｔｈなどの、非接触ＩＣカードやＲＦＩＤよりも通信可能領域が広い通信方式を採用したものである。
【０２７３】
通信部１１０１ａは、ローカルサーバ１１０３の通信部１１０３ａとの間で通信接続し、通信部１１０３ａから送信される暗号化データを受信して、制御部１００１ｂに出力する。
【０２７４】
通信部１１０３ａは、携帯電話器１１０１の通信部１１０１ａとの間で通信接続し、制御部１００３ｂから入力される暗号化データを通信部１１０１ａに送信し、通信部１１０１ａから送信されるデータを受信して制御部１００３ｂに出力する。
【０２７５】
図１４のサービスシステム１１００では、接触ＩＣカード１００２とローカルサーバ１１０３との間の通信接続処理及びデータ処理は、上記実施の形態９のサービスシステム１０００と同様であるため、説明は省略する。
【０２７６】
ローカルサーバ１１０３の通信部１１０３ａは、制御部１００３ｂから暗号化データが入力されると、携帯電話器１１０１内の通信部１１０１ａとの間で通信接続し、暗号化データを通信部１１０１ａに送信する。
【０２７７】
携帯電話器１１０１内の通信部１１０１ａは、ローカルサーバ１１０３の通信部１１０３ａから送信される暗号化データを受信して、制御部１００１ｂに出力する。
【０２７８】
この後の制御部１００１ｂ、接触ＩＣ通信部（ＲＷ側）１００１ｃ、及び接触ＩＣカード１００２内の接触ＩＣ通信部（カード側）１００２ｃにおける通信処理、暗号化データの復号化処理、データ表示処理は、上記実施の形態９のサービスシステム１０００と同様であるため、説明は省略する。
【０２７９】
以上のように、本実施の形態のサービスシステム１１００では、携帯電話器１１０１とローカルサーバ１１０３との間の通信接続は、無線ＬＡＮやＢｌｕｅｔｏｏｔｈなどの、非接触ＩＣカードやＲＦＩＤよりも通信可能領域が広い通信方式を採用したため、非接触ＩＣカードやＲＦＩＤよりもデータ量の多い通信処理を高速に行うことができる。
【０２８０】
以上のサービスシステム１１００を利用することにより、例えば、以下のような適用例が実現できる。
【０２８１】
接触ＩＣカード１００２を社員証として利用し、ローカルサーバ１００３を入室管理用の受付端末とした入室管理システムを考える。
【０２８２】
（１）社員番号の読みとり処理
受付端末は、接触ＩＣカード１００２内のＲＦＩＤ通信部（タグ側）１００２ａに記憶された社員番号を読み取り、社員番号が正しいか検証し、正しければ入出を許可する。
【０２８３】
（２）受付端末のデータ生成処理
受付端末は、接触ＩＣカード１００２から受信した社員番号を元に、携帯電話器１１０１に送信する認証データ（例えば、乱数）と付加情報（今日のイベント、有効期限が切れそうな場合は更新手続きの案内など）を生成する。認証データと付加情報は、共有鍵（接触ＩＣチップと受付端末で事前に決めた情報、例えば、事前に取り交わした秘密鍵）で暗号化する。この場合、認証データは暗号化せず、付加情報だけ暗号化するようにしてもよい。
【０２８４】
（３）受付端末から携帯電話器への送信処理
受付端末は、通信部（無線ＬＡＮやＢｌｕｅｔｏｏｔｈなど）を用いて暗号化データ（認証データと付加情報）を携帯電話器１１０１に送信する。
【０２８５】
（４）接触ＩＣカードのデータ処理
携帯電話器１１０１は、受付端末から受信した暗号化データを接触ＩＣカード１００２に送信し、接触ＩＣカード１００２内で暗号化データの復号化を行い、復号化後に携帯電話器１１０１を介して処理した認証データを受付端末に送信する。また、復号化データは、携帯電話器１１０１にて表示する。
【０２８６】
（５）受付端末での検証
受付端末は、携帯電話器１１０１から送信された認証データを検証し、間違っていれば（又は、データが携帯電話器１１０１から戻されなかった場合）、対応するＲＦＩＤを無効化する。
【０２８７】
以上のように、入室管理システムでは、ＲＦＩＤにより迅速に入室管理を行うことができ、個人情報は正しいＩＣカードを持っているユーザしか解読できない。このため、ＲＦＩＤデータは、他人に盗まれて成りすましが行われても、間違った認証データのＲＦＩＤは無効化されているため、２度の不正入室はできない。
【０２８８】
広域の通信手段を用いるため、付加情報は受付端末から離れた位置でも受信して確認することができる。
【０２８９】
また、本入室管理システムし、ＲＦＩＤ通信と接触ＩＣ通信とを組み合わせているので、例えば、外玄関の大きな自動ドアはＲＦＩＤで開けるが、非接触ＩＣ通信が完了しないと内側の個別ドアを開けることができないといった、入室管理サービスも実現できる。
【０２９０】
また、接触ＩＣ通信の場合は、受付端末にタッチして認証処理を行うため、正しいユーザか否かをその場で明らかにでき、不審者の入室を防止することができる。
【０２９１】
続いて、上記実施の形態９、１０において、ＲＦＩＤ機能と接触ＩＣカード機能を搭載したハイブリット型の接触ＩＣカードを用いたサービスを展開する場合、接触ＩＣカードを市場に出荷する前に事前の設定作業が必要になる。以下、この設定作業の具体例について説明する。
【０２９２】
前提として、例えば、ＲＦＩＤの固有情報、特定のユーザ情報、ＲＦＩＤを用いて受付端末と通信するアプリケーションプログラムを、予め接触ＩＣチップに記憶させて出荷することができる。
【０２９３】
このような情報が記憶された接触ＩＣカードを入手したユーザは、自身が所有する携帯電話器で使用できるようにするため、接触ＩＣチップには、携帯電話器用の情報を後から書き込む記憶領域を設けるとともに、設定用のアプリケーションプログラムも記憶しておく。
【０２９４】
そして、携帯電話器に設けられたカードスロットに接触ＩＣカードを装着して、携帯電話器から接触ＩＣカードにアクセスすると、上記設定用アプリケーションプログラムが起動して、設定画面が表示部に表示される。ユーザは、設定画面に従って、個人情報などを入力する。
【０２９５】
この場合、携帯電話器は、接触ＩＣカードを装着している間は、接触ＩＣカード内のＲＦＩＤ通信機能を使用するように切り換えられるものとする。
【０２９６】
また、携帯電話器は、接触ＩＣカードが装着されていない場合は、ＲＦＩＤ固有情報として、デフォルト情報を設定するようにしてもよい。
【０２９７】
以上のように、接触ＩＣカードを入手した際に設定作業を実行可能とすることにより、オンライン登録処理などをしなくてもサービスの提供を受けることができる。
【０２９８】
また、接触ＩＣカードの装着によって通信機能が切り換えられるので、複数の異なる接触ＩＣカードを利用することができる。このため、ユーザは、サービスの種類に応じて、接触ＩＣカードを取り替えるだけで、さまざまなサービスの提供を受けることができる。
【０２９９】
以上のような設定作業を行う接触ＩＣカードを利用する場合は、企業向けにサービスを展開することが容易になる。
【０３００】
また、接触ＩＣ通信機能だけを搭載した接触ＩＣカードと、ＲＦＩＤタグ機能だけを搭載した携帯電話用ストラップや携帯電話に貼るシールとを別々に配布するサービス展開も考えられる。
【０３０１】
この場合、接触ＩＣカードには、上記と同様の設定機能を持たせ、この接触ＩＣカードを携帯電話器に装着することにより、サービスサイトからサービス用プログラムをダウンロードし、ＲＦＩＤ通信用の固有ＩＤを登録する。
【０３０２】
この場合、携帯電話器は、接触ＩＣカードを装着したままで、ＲＦＩＤストラップを交換し、ＲＦＩＤシールを貼り変えるだけで、複数のＲＦＩＤサービスの提供を受けることが可能になる。
【０３０３】
ＲＦＩＤストラップやＲＦＩＤシールは、ＩＣカードに比べて安価に提供できるため、接触ＩＣカードを装着した携帯電話器が普及すれば、様々なサービスを低コストで展開することができる。
【０３０４】
例えば、キャンペーンを行う企業は、キャンペーンに合わせてＲＦＩＤストラップやＲＦＩＤシールを無料でユーザに配ることができ、サービスを展開するための初期投資を低減することができる。
【０３０５】
また、ＲＦＩＤタグは、形状が自由であるため、サービスを提供する企業の要望に応じて、宣伝広告を印刷したものなども容易に作成することができる。
【０３０６】
企業は、本発明のサービスシステムを利用することにより、短期間のサービス展開も低コストで展開することができ、ユーザは、シールやストラップであれば、不要になった場合の破棄も容易である。
【０３０７】
このため、本発明のサービスシステムは、企業とユーザの双方にとって有効なサービスを低コストかつ容易に展開することができる。
【産業上の利用可能性】
【０３０８】
本発明は、非接触型ＩＣカード及びＲＦＩＤと、携帯通信端末と、ローカルサーバとの間で直接通信することを可能にし、これらの通信において送受信されるデータのセキュリティを保ちながら、ユーザが所有する携帯通信端末にデータサービスを提供することを可能にすることである。
【図面の簡単な説明】
【０３０９】
【図１】本発明の実施の形態１に係るサービスシステムの構成を示すブロック図
【図２】図１のローカルサーバの動作を説明するためのフローチャート
【図３】本発明の実施の形態２に係るサービスシステムの構成を示すブロック図
【図４】本発明の実施の形態３に係るサービスシステムの構成を示すブロック図
【図５】本発明の実施の形態４に係るサービスシステムの構成を示すブロック図
【図６】図５のローカルサーバの動作を説明するためのフローチャート
【図７】本発明の実施の形態５に係るサービスシステムの構成を示すブロック図
【図８】本発明の実施の形態６に係るサービスシステムの構成を示すブロック図
【図９】本発明の実施の形態７に係るサービスシステムの構成を示すブロック図
【図１０】図９のローカルサーバの動作を説明するためのフローチャート
【図１１】本発明の実施の形態８に係るサービスシステムの構成を示すブロック図
【図１２】本発明の実施の形態９に係るサービスシステムの構成を示すブロック図
【図１３】図１２のローカルサーバの動作を説明するためのフローチャート
【図１４】本発明の実施の形態１０に係るサービスシステムの構成を示すブロック図
【符号の説明】
【０３１０】
１００、３００、４００、５００、６００、７００、８００、９００、１０００、１１００  サービスシステム
１０１、３０１、４０１、５０１、６０１、７０１、８０１、９０１、１００１、１１０１  携帯電話器
１０１ａ、９０１ａ  非接触ＩＣ通信部（カード側）
１０１ｂ、５０１ｂ、８０１ｂ、１００１ｂ  制御部
１０１ｃ、５０１ｃ、８０１ｃ、１００１ｄ  表示部
１０２  非接触ＩＣカード
１０２ａ、１００２ｃ  非接触ＩＣ通信部（カード側）
１０２ｂ、８０２ｂ、１００２ｂ、１００２ｄ  制御部
１０３、５０３、８０３、９０３、１００３、１１０３  ローカルサーバ
１０３ａ、４０１ａ、５０３ａ、９０３ａ  非接触ＩＣ通信部（ＲＷ側）
１０３ｂ、５０３ｂ、８０３ｂ、１００３ｂ  制御部
５０１ａ、８０１ａ、８０２ａ、１００２ａ  ＲＦＩＤ通信部（タグ側）
５０３ｃ、８０３ａ、１００３ａ  ＲＦＩＤ通信部（ＲＷ側）
５０１ｄ  アンテナ
【図１】
2005064923.tif 000003
【図２】
2005064923.tif 000004
【図３】
2005064923.tif 000005
【図４】
2005064923.tif 000006
【図５】
2005064923.tif 000007
【図６】
2005064923.tif 000008
【図７】
2005064923.tif 000009
【図８】
2005064923.tif 000010
【図９】
2005064923.tif 000011
【図１０】
2005064923.tif 000012
【図１１】
2005064923.tif 000013
【図１２】
2005064923.tif 000014
【図１３】
2005064923.tif 000015
【図１４】
2005064923.tif 000016